(57)【要約】  本開示は、ビーム制御方法、基地局および端末を提供する。当該方法において、基地局が物理チャネルの種類を特定することと、基地局が物理チャネルの種類に基づいて対応種類のビームで前記物理チャネルの信号を送信または受信することとを含む。【選択図】  図４
2020518200.tif 000002
【特許請求の範囲】
【請求項１】
基地局が物理チャネルの種類を特定することと、
前記基地局が前記物理チャネルの種類に基づいて対応種類のビームで前記物理チャネルの信号を送信または受信することとを含む、ビーム制御方法。
【請求項２】
基地局送信共通ビーム、基地局受信共通ビーム、基地局送信トラフィックビームおよび基地局受信トラフィックビームのうちの１つまたは複数種類のビームを、前記基地局が構成することをさらに含む、請求項１に記載の方法。
【請求項３】
前記基地局が基地局送信共通ビームと基地局受信共通ビームの送受信相反性関係を識別すること、または、
前記基地局が基地局送信トラフィックビームと基地局受信トラフィックビームの送受信相反性関係を識別することをさらに含む、請求項２に記載の方法。
【請求項４】
前記基地局が前記物理チャネルの種類に基づいて対応種類のビームで前記物理チャネルの信号を送信または受信することは、
同期チャネルに対し、前記基地局が基地局送信共通ビームで同期信号を端末に送信すること、または、
アップリンクランダムアクセスチャネルに対し、前記基地局が、端末送信共通ビームに対応する基地局受信共通ビームによって、前記端末送信共通ビームで送信されるアップリンクランダムアクセス信号を受信することを含む、請求項２に記載の方法。
【請求項５】
各基地局送信共通ビームで送信される同期信号は、当該基地局送信共通ビームに対応するビームフォーミング重み値によってフォーミングされてから送信される、請求項４に記載の方法。
【請求項６】
前記同期信号は、プリアンブルに基づいて周期的に送信され、または、一定の時間領域リソースと周波数領域リソースで周期的に送信され、または、所定オフセットの時間領域リソースと周波数領域リソースで周期的に送信され、または、オンデマンドで非周期的に送信される、請求項４に記載の方法。
【請求項７】
前記同期信号には、基地局送信共通ビームのＩＤを含む、請求項４〜６のいずれか一項に記載の方法。
【請求項８】
各端末送信共通ビームで送信されるアップリンクランダムアクセス信号は、当該端末送信共通ビームに対応するビームフォーミング重み値によってフォーミングされてから送信される、請求項４に記載の方法。
【請求項９】
前記アップリンクランダムアクセス信号には、端末送信共通ビームのＩＤを含む、請求項４または８に記載の方法。
【請求項１０】
前記端末送信共通ビームに対応する基地局受信共通ビームは、前記端末からフィードバックされる信号品質が最適な基地局送信共通ビームとは送受信相反性を有する基地局受信共通ビームであり、または、信号品質が最適な基地局受信共通ビームである、請求項４に記載の方法。
【請求項１１】
前記基地局が、端末送信共通ビームおよび前記端末送信共通ビームに対応する基地局受信共通ビームに基づいて、信号品質が最適な端末送信共通ビームと信号品質が最適な基地局受信共通ビームとを含む信号品質が最適な共通ビーム組み合わせを特定することと、
前記信号品質が最適な共通ビーム組み合わせのうち、信号品質が最適な端末送信共通ビームのＩＤを当該端末に配信し、前記信号品質が最適な共通ビーム組み合わせのうち、信号品質が最適な基地局受信共通ビームのＩＤを基地局のローカルに記憶することとをさらに含む、請求項４に記載の方法。
【請求項１２】
前記基地局が前記物理チャネルの種類に基づいて対応種類のビームで前記物理チャネルの信号を送信または受信することは、
前記基地局が、ＰＤＳＣＨ（Ｐｈｙｓｉｃａｌ  Ｄｏｗｎｌｉｎｋ  Ｓｈａｒｅｄ  Ｃｈａｎｎｅｌ）用のダウンリンクビーム訓練信号を、基地局送信トラフィックビームで端末に送信すること、または、
前記基地局が、前記端末送信トラフィックビームで送信されるＰＵＳＣＨ（Ｐｈｙｓｉｃａｌ  Ｄｏｗｎｌｉｎｋ  Ｃｏｎｔｒｏｌ  Ｃｈａｎｎｅｌ）用のアップリンクビーム訓練信号を、前記端末送信トラフィックビームに対応する基地局受信トラフィックビームで受信することを含む、請求項２に記載の方法。
【請求項１３】
各基地局送信トラフィックビームで送信されるダウンリンクビーム訓練信号は、当該基地局送信トラフィックビームに対応するビームフォーミング重み値によってフォーミングされてから送信される、請求項１２に記載の方法。
【請求項１４】
各端末送信トラフィックビームで送信されるアップリンクビーム訓練信号は、当該端末送信トラフィックビームに対応するビームフォーミング重み値によってフォーミングされてから送信される、請求項１３に記載の方法。
【請求項１５】
前記端末送信トラフィックビームに対応する基地局受信トラフィックビームは、前記端末からフィードバックされる信号品質が最適な基地局送信トラフィックビームとは送受信相反性を有する基地局受信トラフィックビームであり、または、信号品質が最適な基地局受信トラフィックビームである、請求項８に記載の方法。
【請求項１６】
前記基地局が、端末送信トラフィックビームおよび前記端末送信トラフィックビームに対応する基地局受信トラフィックビームに基づいて、信号品質が最適な端末送信トラフィックビームと信号品質が最適な基地局受信トラフィックビームとを含む信号品質が最適なトラフィックビーム組み合わせを特定することと、
前記信号品質が最適なトラフィックビーム組み合わせのうち、信号品質が最適な端末送信トラフィックビームのＩＤを当該端末に配信し、前記信号品質が最適なトラフィックビーム組み合わせのうち、信号品質が最適な基地局受信トラフィックビームのＩＤを基地局のローカルに記憶することとをさらに含む、請求項１２に記載の方法。
【請求項１７】
前記基地局が前記物理チャネルの種類に基づいて対応種類のビームで前記物理チャネルの信号を送信または受信することは、
前記基地局が、端末からフィードバックされる信号品質が最適な基地局送信トラフィックビームでＰＤＳＣＨ信号を送信すること、または、
前記基地局が、信号品質が最適な基地局受信トラフィックビームでＰＵＳＣＨ信号を受信することを含む、請求項２に記載の方法。
【請求項１８】
信号品質が最適な基地局送信トラフィックビームおよび／または信号品質が最適な基地局受信トラフィックビームが失効すると、前記基地局が、端末からフィードバックされる信号品質が最適な基地局送信共通ビームで接続回復プロセスを行い、および／または、前記基地局が、信号品質が最適な基地局受信共通ビームで接続回復プロセスを行うことをさらに含む、請求項１７に記載の方法。
【請求項１９】
端末が物理チャネルの種類を特定することと、
前記端末が前記物理チャネルの種類に基づいて対応種類のビームで物理チャネルの信号を送信または受信することとを含む、ビーム制御方法。
【請求項２０】
端末送信共通ビーム、端末受信共通ビーム、端末送信トラフィックビームおよび端末受信トラフィックビームのうちの１つまたは複数種類のビームを、前記端末が構成することをさらに含む、請求項１９に記載の方法。
【請求項２１】
前記端末が端末受信共通ビームと基地局受信共通ビームの送受信相反性関係を識別すること、または、
前記端末が端末受信トラフィックビームと端末送信トラフィックビームの送受信相反性関係を識別することをさらに含む、請求項２０に記載の方法。
【請求項２２】
前記端末が前記物理チャネルの種類に基づいて対応種類のビームで物理チャネルの信号を送信または受信することは、
同期チャネルに対し、前記端末が、基地局送信共通ビームに対応する端末受信共通ビームによって、前記基地局送信共通ビームで送信される同期信号を受信すること、または、
アップリンクランダムアクセスチャネルに対し、前記端末が、端末送信共通ビームでアップリンクランダムアクセス信号を送信することを含む、請求項２０に記載の方法。
【請求項２３】
前記端末が、基地局送信共通ビームおよび前記基地局送信共通ビームに対応する端末受信共通ビームに基づいて、信号品質が最適な基地局送信共通ビームと信号品質が最適な端末受信共通ビームとを含む信号品質が最適な共通ビーム組み合わせを特定することと、
前記信号品質が最適な共通ビーム組み合わせのうち、信号品質が最適な基地局送信共通ビームのＩＤを当該基地局にフィードバックし、前記信号品質が最適な共通ビーム組み合わせのうち、信号品質が最適な端末受信共通ビームのＩＤを端末のローカルに記憶することとをさらに含む、請求項２２に記載の方法。
【請求項２４】
前記端末が端末送信共通ビームでアップリンクランダムアクセス信号を送信することは、
前記端末が、信号品質が最適な端末受信共通ビームとは送受信相反性を有する端末送信共通ビームでアップリンクランダムアクセス信号を送信すること、または、
前記端末が、端末送信共通ビーム候補毎に１つのアップリンクランダムアクセス信号を送信することを含む、請求項２２に記載の方法。
【請求項２５】
前記端末が前記物理チャネルの種類に基づいて対応種類のビームで物理チャネルの信号を送信または受信することは、
前記端末が、基地局から基地局送信トラフィックビームで送信されるＰＤＳＣＨ用のダウンリンクビーム訓練信号を、基地局送信トラフィックビームに対応する端末受信トラフィックビームで受信すること、または、
前記端末が、ＰＵＳＣＨ用のアップリンクビーム訓練信号を端末送信トラフィックビームで送信することを含む、請求項２０に記載の方法。
【請求項２６】
前記端末が、基地局送信トラフィックビームおよび前記基地局送信トラフィックビームに対応する端末受信トラフィックビームに基づいて、信号品質が最適な基地局送信トラフィックビームと信号品質が最適な端末受信トラフィックビームとを含む信号品質が最適なトラフィックビーム組み合わせを特定することと、
前記信号品質が最適なトラフィックビーム組み合わせのうち、信号品質が最適な基地局送信トラフィックビームのＩＤを当該基地局にフィードバックし、前記信号品質が最適なトラフィックビーム組み合わせのうち、信号品質が最適な端末受信トラフィックビームのＩＤを端末のローカルに記憶することとをさらに含む、請求項２５に記載の方法。
【請求項２７】
前記端末が、ＰＵＳＣＨ用のアップリンクビーム訓練信号を端末送信トラフィックビームで送信することは、
前記端末が、ＰＵＳＣＨ用のアップリンクビーム訓練信号を、信号品質が最適な端末受信トラフィックビームとは送受信相反性を有する端末送信トラフィックビームで送信すること、または、
前記端末が、１つのＰＵＳＣＨ用のアップリンクビーム訓練信号を、端末送信トラフィックビーム毎に送信することを含む、請求項２５に記載の方法。
【請求項２８】
前記端末が前記物理チャネルの種類に基づいて対応種類のビームで物理チャネルの信号を送信または受信することは、
前記端末が、信号品質が最適な端末受信トラフィックビームでＰＤＳＣＨ信号を受信すること、または、
前記端末が、基地局からフィードバックされる信号品質が最適な端末送信トラフィックビームでＰＵＳＣＨ信号を送信することを含む、請求項２０に記載の方法。
【請求項２９】
信号品質が最適な端末受信トラフィックビームおよび／または信号品質が最適な端末送信トラフィックビームが失効すると、前記端末が、基地局からフィードバックされる信号品質が最適な端末送信共通ビームで接続回復プロセスを行い、および／または、前記端末が、信号品質が最適な端末受信共通ビームで接続回復プロセスを行うことをさらに含む、請求項２８に記載の方法。
【請求項３０】
物理チャネルの種類を特定する第１特定モジュールと、
前記物理チャネルの種類に基づいて対応種類のビームで前記物理チャネルの信号を送信または受信する第１制御モジュールとを含む、基地局。
【請求項３１】
基地局送信共通ビーム、基地局受信共通ビーム、基地局送信トラフィックビームおよび基地局受信トラフィックビームのうちの１つまたは複数種類のビームを構成する第１構成モジュールをさらに含む、請求項３０に記載の基地局。
【請求項３２】
基地局送信共通ビームと基地局受信共通ビームの送受信相反性関係を識別し、または、基地局送信トラフィックビームと基地局受信トラフィックビームの送受信相反性関係を識別する第１識別モジュールをさらに含む、請求項３１に記載の基地局。
【請求項３３】
前記第１制御モジュールは、さらに、
同期チャネルに対し、基地局送信共通ビームで同期信号を端末に送信し、または、
アップリンクランダムアクセスチャネルに対し、端末送信共通ビームに対応する基地局受信共通ビームによって、前記端末送信共通ビームで送信されるアップリンクランダムアクセス信号を受信する、請求項３１に記載の基地局。
【請求項３４】
前記第１制御モジュールは、さらに、
ＰＤＳＣＨ用のダウンリンクビーム訓練信号を、基地局送信トラフィックビームで端末に送信し、または、
端末送信トラフィックビームで送信されるＰＵＳＣＨ用のアップリンクビーム訓練信号を、前記端末送信トラフィックビームに対応する基地局受信トラフィックビームで受信する、請求項３１に記載の基地局。
【請求項３５】
前記第１制御モジュールは、さらに、
端末からフィードバックされる信号品質が最適な基地局送信トラフィックビームでＰＤＳＣＨ信号を送信し、または、
信号品質が最適な基地局受信トラフィックビームでＰＵＳＣＨ信号を受信する、請求項３１に記載の基地局。
【請求項３６】
信号品質が最適な基地局送信トラフィックビームおよび／または信号品質が最適な基地局受信トラフィックビームが失効すると、端末からフィードバックされる信号品質が最適な基地局送信共通ビームで接続回復プロセスを行い、および／または、信号品質が最適な基地局受信共通ビームで接続回復プロセスを行う第１接続回復モジュールをさらに含む、請求項３５に記載の基地局。
【請求項３７】
物理チャネルの種類を特定する第２特定モジュールと、
前記物理チャネルの種類に基づいて対応種類のビームで物理チャネルの信号を送信または受信する第２制御モジュールとを含む、端末。
【請求項３８】
さらに、端末送信共通ビーム、端末受信共通ビーム、端末送信トラフィックビームおよび端末受信トラフィックビームのうちの１つまたは複数種類のビームを構成する、請求項３７に記載の端末。
【請求項３９】
端末受信共通ビームと基地局受信共通ビームの送受信相反性関係を識別し、または、端末受信トラフィックビームと端末送信トラフィックビームの送受信相反性関係を識別する第２識別モジュールをさらに含む、請求項３８に記載の端末。
【請求項４０】
前記第２制御モジュールは、さらに、
同期チャネルに対し、基地局送信共通ビームに対応する端末受信共通ビームによって、基地局送信共通ビームで送信される同期信号を受信し、または、
アップリンクランダムアクセスチャネルに対し、端末送信共通ビームでアップリンクランダムアクセス信号を送信する、請求項３８に記載の端末。
【請求項４１】
前記第２制御モジュールは、さらに、
基地局から基地局送信トラフィックビームで送信されるＰＤＳＣＨ用のダウンリンクビーム訓練信号を、基地局送信トラフィックビームに対応する端末受信トラフィックビームで受信し、または、
ＰＵＳＣＨ用のアップリンクビーム訓練信号を端末送信トラフィックビームで送信する、請求項３８に記載の端末。
【請求項４２】
前記第２制御モジュールは、さらに、
信号品質が最適な端末受信トラフィックビームでＰＤＳＣＨ信号を受信し、または、
基地局からフィードバックされる信号品質が最適な端末送信トラフィックビームでＰＵＳＣＨ信号を送信する、請求項３８に記載の端末。
【請求項４３】
信号品質が最適な端末受信トラフィックビームおよび／または信号品質が最適な端末送信トラフィックビームが失効すると、基地局からフィードバックされる信号品質が最適な端末送信共通ビームで接続回復プロセスを行い、および／または、信号品質が最適な端末受信共通ビームで接続回復プロセスを行う第２接続回復モジュールをさらに含む、請求項４２に記載の端末。
【請求項４４】
第１メモリ、第１プロセッサおよび第１メモリに記憶されて第１プロセッサで実行可能なコンピュータプログラムを含む基地局において、
前記第１プロセッサが前記プログラムを実行すると、請求項１〜１８のいずれか一項に記載のビーム制御方法のステップが実現される、基地局。
【請求項４５】
第２メモリ、第２プロセッサおよび第２メモリに記憶されて第２プロセッサで実行可能なコンピュータプログラムを含む端末において、
前記第２プロセッサが前記プログラムを実行すると、請求項１９〜２９のいずれか一項に記載のビーム制御方法のステップが実現される、端末。
【請求項４６】
コンピュータプログラムが記憶されているコンピュータ読み取り可能な記憶媒体であって、
当該プログラムがプロセッサによって実行されると、請求項１〜１８のいずれか一項に記載のビーム制御方法のステップ、および／または、請求項１９〜２９のいずれか一項に記載のビーム制御方法のステップが実現される、コンピュータ読み取り可能な記憶媒体。
【発明の詳細な説明】
【技術分野】
【０００１】
本願は、２０１７年４月２７日に中国特許庁に提出された中国特許出願２０１７１０２８７６９６．４の優先権を主張し、その全ての内容が援用によりここに取り込まれる。
本開示は、通信技術分野に係り、特にビーム制御方法、基地局および端末に係る。
【背景技術】
【０００２】
ピークレートおよびシステムのスペクトル利用率の向上に対するＭＩＮＯ（Ｍｕｌｔｉｐｌｅ−Ｉｎｐｕｔ  Ｍｕｌｔｉｐｌｅ−Ｏｕｔｐｕｔ）の重要な役割に鑑み、ＬＴＥ（登録商標）（Ｌｏｎｇ  Ｔｅｒｍ  Ｅｖｏｌｕｔｉｏｎ）／ＬＴＥ−Ａ（ＬＴＥ−Ａｄｖａｎｃｅｄ）などの無線アクセス技術標準は、いずれもＭＩＭＯ＋ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を基に構築される。ＭＩＭＯ技術の性能ゲインは、マルチアンテナシステムによって取得可能な空間自由度に由来する。よって、ＭＩＭＯ技術の標準化の発展過程における最も重要な進化方向は、次元の拡張である。
【０００３】
ＬＴＥ  Ｒｅｌ−８において、最多で４層のＭＩＭＯ伝送がサポートされる。Ｒｅｌ−９において、ＭＵ−ＭＩＭＯ（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ）技術の強化がポイントであり、ＴＭ（Ｔｒａｎｓｍｉｓｓｉｏｎ  Ｍｏｄｅ）−８のＭＵ−ＭＩＭＯ伝送では、最多で４つのダウンリンクデータ層がサポートされる。Ｒｅｌ−１０において、８アンテナポートをサポートすることを導入してチャネル状態情報の空間解析度をさらに向上させ、ＳＵ−ＭＩＭＯ（Ｓｉｎｇｌｅ−Ｕｓｅｒ  ＭＩＭＯ）の伝送能力を最多８つのデータ層まで拡張させる。Ｒｅｌ−１３とＲｅｌ−１４において、ＦＤ−ＭＩＭＯ技術の導入によって３２ポートまでサポートし、全次元および垂直方向のビームフォーミングが実現される。
【０００４】
ＭＩＭＯ技術の更なる向上のために、移動通信システムには大規模なアンテナ技術が導入される。基地局にとって、フルデジタル化の大規模なアンテナは、１２８／２５６／５１２ものアンテナユニットおよび１２８／２５６／５１２もの送受信ユニットを有し、各アンテナユニットが１つの送受信ユニットに接続される。１２８／２５６／５１２ものアンテナポートのパイロット信号を送信することによって、端末は、チャネル状態情報を測定してフィードバックする。端末にとって、３２／６４ものアンテナユニットのアンテナアレイを構成してもよい。基地局と端末の両方のビームフォーミングによって、巨大なビームフォーミングゲインを取得し、経路損失による信号減衰を補う。特に高周波数帯域の通信において、たとえば３０ＧＨｚの周波数点では、経路損失によって無線信号のカバレッジが大きく限定される。大規模なアンテナ技術によって、無線信号のカバレッジを実用可能な範囲内に拡大させることができる。
【発明の概要】
【課題を解決するための手段】
【０００５】
本開示の実施例の第１方面において、ビーム制御方法を提供する。前記方法において、基地局が物理チャネルの種類を特定することと、前記基地局が前記物理チャネルの種類に基づいて対応種類のビームで前記物理チャネルの信号を送信または受信することとを含む。
【０００６】
選択可能に、前記方法において、基地局送信共通ビーム、基地局受信共通ビーム、基地局送信トラフィックビームおよび基地局受信トラフィックビームのうちの１つまたは複数種類のビームを、前記基地局が構成することをさらに含む。
【０００７】
選択可能に、前記方法において、前記基地局が基地局送信共通ビームと基地局受信共通ビームの送受信相反性関係を識別すること、または、前記基地局が基地局送信トラフィックビームと基地局受信トラフィックビームの送受信相反性関係を識別することをさらに含む。
【０００８】
選択可能に、前記基地局が前記物理チャネルの種類に基づいて対応種類のビームで前記物理チャネルの信号を送信または受信することは、同期チャネルに対し、前記基地局が基地局送信共通ビームで同期信号を端末に送信すること、または、アップリンクランダムアクセスチャネルに対し、前記基地局が、端末送信共通ビームに対応する基地局受信共通ビームによって、前記端末送信共通ビームで送信されるアップリンクランダムアクセス信号を受信することを含む。
【０００９】
選択可能に、各基地局送信共通ビームで送信される同期信号は、当該基地局送信共通ビームに対応するビームフォーミング重み値によってフォーミングされてから送信される。
【００１０】
選択可能に、前記同期信号は、プリアンブルに基づいて周期的に送信され、または、一定の時間領域リソースと周波数領域リソースで周期的に送信され、または、所定オフセットの時間領域リソースと周波数領域リソースで周期的に送信され、または、オンデマンドで非周期的に送信される。
【００１１】
選択可能に、前記同期信号には、基地局送信共通ビームのＩＤを含む。
【００１２】
選択可能に、各端末送信共通ビームで送信されるアップリンクランダムアクセス信号は、当該端末送信共通ビームに対応するビームフォーミング重み値によってフォーミングされてから送信される。
【００１３】
選択可能に、前記アップリンクランダムアクセス信号には、端末送信共通ビームのＩＤを含む。
【００１４】
選択可能に、前記端末送信共通ビームに対応する基地局受信共通ビームは、前記端末からフィードバックされる信号品質が最適な基地局送信共通ビームとは送受信相反性を有する基地局受信共通ビームであり、または、信号品質が最適な基地局受信共通ビームである。
【００１５】
選択可能に、前記方法において、前記基地局が、端末送信共通ビームおよび前記端末送信共通ビームに対応する基地局受信共通ビームに基づいて、信号品質が最適な端末送信共通ビームと信号品質が最適な基地局受信共通ビームとを含む信号品質が最適な共通ビーム組み合わせを特定することと、前記信号品質が最適な共通ビーム組み合わせのうち、信号品質が最適な端末送信共通ビームのＩＤを当該端末に配信し、前記信号品質が最適な共通ビーム組み合わせのうち、信号品質が最適な基地局受信共通ビームのＩＤを基地局のローカルに記憶することとをさらに含む。
【００１６】
選択可能に、前記基地局が前記物理チャネルの種類に基づいて対応種類のビームで前記物理チャネルの信号を送信または受信することは、前記基地局が、ＰＤＳＣＨ（Ｐｈｙｓｉｃａｌ  Ｄｏｗｎｌｉｎｋ  Ｓｈａｒｅｄ  Ｃｈａｎｎｅｌ）用のダウンリンクビーム訓練信号を、基地局送信トラフィックビームで端末に送信すること、または、前記基地局が、前記端末送信トラフィックビームで送信されるＰＵＳＣＨ（Ｐｈｙｓｉｃａｌ  Ｄｏｗｎｌｉｎｋ  Ｃｏｎｔｒｏｌ  Ｃｈａｎｎｅｌ）用のアップリンクビーム訓練信号を、前記端末送信トラフィックビームに対応する基地局受信トラフィックビームで受信することを含む。
【００１７】
選択可能に、各基地局送信トラフィックビームで送信されるダウンリンクビーム訓練信号は、当該基地局送信トラフィックビームに対応するビームフォーミング重み値によってフォーミングされてから送信される。
【００１８】
選択可能に、各端末送信トラフィックビームで送信されるアップリンクビーム訓練信号は、当該端末送信トラフィックビームに対応するビームフォーミング重み値によってフォーミングされてから送信される。
【００１９】
選択可能に、前記端末送信トラフィックビームに対応する基地局受信トラフィックビームは、前記端末からフィードバックされる信号品質が最適な基地局送信トラフィックビームとは送受信相反性を有する基地局受信トラフィックビームであり、または、信号品質が最適な基地局受信トラフィックビームである。
【００２０】
選択可能に、前記方法において、前記基地局が、端末送信トラフィックビームおよび前記端末送信トラフィックビームに対応する基地局受信トラフィックビームに基づいて、信号品質が最適な端末送信トラフィックビームと信号品質が最適な基地局受信トラフィックビームとを含む信号品質が最適なトラフィックビーム組み合わせを特定することと、前記信号品質が最適なトラフィックビーム組み合わせのうち、信号品質が最適な端末送信トラフィックビームのＩＤを当該端末に配信し、前記信号品質が最適なトラフィックビーム組み合わせのうち、信号品質が最適な基地局受信トラフィックビームのＩＤを基地局のローカルに記憶することとをさらに含む。
【００２１】
選択可能に、前記基地局が前記物理チャネルの種類に基づいて対応種類のビームで前記物理チャネルの信号を送信または受信することは、前記基地局が、端末からフィードバックされる信号品質が最適な基地局送信トラフィックビームでＰＤＳＣＨ信号を送信すること、または、前記基地局が、信号品質が最適な基地局受信トラフィックビームでＰＵＳＣＨ信号を受信することを含む。
【００２２】
選択可能に、前記方法において、信号品質が最適な基地局送信トラフィックビームおよび／または信号品質が最適な基地局受信トラフィックビームが失効すると、前記基地局が、端末からフィードバックされる信号品質が最適な基地局送信共通ビームで接続回復プロセスを行い、および／または、前記基地局が、信号品質が最適な基地局受信共通ビームで接続回復プロセスを行うことをさらに含む。
【００２３】
本開示の実施例の第２方面において、ビーム制御方法をさらに提供する。前記方法において、端末が物理チャネルの種類を特定することと、前記端末が前記物理チャネルの種類に基づいて対応種類のビームで物理チャネルの信号を送信または受信することとを含む。
【００２４】
選択可能に、前記方法において、端末送信共通ビーム、端末受信共通ビーム、端末送信トラフィックビームおよび端末受信トラフィックビームのうちの１つまたは複数種類のビームを、前記端末が構成することをさらに含む。
【００２５】
選択可能に、前記方法において、前記端末が端末受信共通ビームと基地局受信共通ビームの送受信相反性関係を識別すること、または、前記端末が端末受信トラフィックビームと端末送信トラフィックビームの送受信相反性関係を識別することをさらに含む。
【００２６】
選択可能に、前記端末が前記物理チャネルの種類に基づいて対応種類のビームで物理チャネルの信号を送信または受信することは、同期チャネルに対し、前記端末が、基地局送信共通ビームに対応する端末受信共通ビームによって、前記基地局送信共通ビームで送信される同期信号を受信すること、または、アップリンクランダムアクセスチャネルに対し、前記端末が、端末送信共通ビームでアップリンクランダムアクセス信号を送信することを含む。
【００２７】
選択可能に、前記方法において、前記端末が、基地局送信共通ビームおよび前記基地局送信共通ビームに対応する端末受信共通ビームに基づいて、信号品質が最適な基地局送信共通ビームと信号品質が最適な端末受信共通ビームとを含む信号品質が最適な共通ビーム組み合わせを特定することと、前記信号品質が最適な共通ビーム組み合わせのうち、信号品質が最適な基地局送信共通ビームのＩＤを当該基地局にフィードバックし、前記信号品質が最適な共通ビーム組み合わせのうち、信号品質が最適な端末受信共通ビームのＩＤを端末のローカルに記憶することとをさらに含む。
【００２８】
選択可能に、前記端末が端末送信共通ビームでアップリンクランダムアクセス信号を送信することは、前記端末が、信号品質が最適な端末受信共通ビームとは送受信相反性を有する端末送信共通ビームでアップリンクランダムアクセス信号を送信すること、または、前記端末が、端末送信共通ビーム候補毎に１つのアップリンクランダムアクセス信号を送信することを含む。
【００２９】
選択可能に、前記端末が前記物理チャネルの種類に基づいて対応種類のビームで物理チャネルの信号を送信または受信することは、前記端末が、基地局から基地局送信トラフィックビームで送信されるＰＤＳＣＨ用のダウンリンクビーム訓練信号を、基地局送信トラフィックビームに対応する端末受信トラフィックビームで受信すること、または、前記端末が、ＰＵＳＣＨ用のアップリンクビーム訓練信号を端末送信トラフィックビームで送信することを含む。
【００３０】
選択可能に、前記方法において、前記端末が、基地局送信トラフィックビームおよび前記基地局送信トラフィックビームに対応する端末受信トラフィックビームに基づいて、信号品質が最適な基地局送信トラフィックビームと信号品質が最適な端末受信トラフィックビームとを含む信号品質が最適なトラフィックビーム組み合わせを特定することと、前記信号品質が最適なトラフィックビーム組み合わせのうち、信号品質が最適な基地局送信トラフィックビームのＩＤを当該基地局にフィードバックし、前記信号品質が最適なトラフィックビーム組み合わせのうち、信号品質が最適な端末受信トラフィックビームのＩＤを端末のローカルに記憶することとをさらに含む。
【００３１】
選択可能に、前記端末が、ＰＵＳＣＨ用のアップリンクビーム訓練信号を端末送信トラフィックビームで送信することは、前記端末が、ＰＵＳＣＨ用のアップリンクビーム訓練信号を、信号品質が最適な端末受信トラフィックビームとは送受信相反性を有する端末送信トラフィックビームで送信すること、または、前記端末が、１つのＰＵＳＣＨ用のアップリンクビーム訓練信号を、端末送信トラフィックビーム毎に送信することを含む。
【００３２】
選択可能に、前記端末が前記物理チャネルの種類に基づいて対応種類のビームで物理チャネルの信号を送信または受信することは、前記端末が、信号品質が最適な端末受信トラフィックビームでＰＤＳＣＨ信号を受信すること、または、前記端末が、基地局からフィードバックされる信号品質が最適な端末送信トラフィックビームでＰＵＳＣＨ信号を送信することを含む。
【００３３】
選択可能に、前記方法において、信号品質が最適な端末受信トラフィックビームおよび／または信号品質が最適な端末送信トラフィックビームが失効すると、前記端末が、基地局からフィードバックされる信号品質が最適な端末送信共通ビームで接続回復プロセスを行い、および／または、前記端末が、信号品質が最適な端末受信共通ビームで接続回復プロセスを行うことをさらに含む。
【００３４】
本開示の実施例の第３方面において、基地局をさらに提供する。前記基地局は、物理チャネルの種類を特定する第１特定モジュールと、前記物理チャネルの種類に基づいて対応種類のビームで前記物理チャネルの信号を送信または受信する第１制御モジュールとを含む。
【００３５】
選択可能に、前記基地局は、基地局送信共通ビーム、基地局受信共通ビーム、基地局送信トラフィックビームおよび基地局受信トラフィックビームのうちの１つまたは複数種類のビームを構成する第１構成モジュールをさらに含む。
【００３６】
選択可能に、前記基地局は、基地局送信共通ビームと基地局受信共通ビームの送受信相反性関係を識別し、または、基地局送信トラフィックビームと基地局受信トラフィックビームの送受信相反性関係を識別する第１識別モジュールをさらに含む。
【００３７】
選択可能に、前記第１制御モジュールは、さらに、同期チャネルに対し、基地局送信共通ビームで同期信号を端末に送信し、または、アップリンクランダムアクセスチャネルに対し、端末送信共通ビームに対応する基地局受信共通ビームによって、前記端末送信共通ビームで送信されるアップリンクランダムアクセス信号を受信する。
【００３８】
選択可能に、前記第１制御モジュールは、さらに、ＰＤＳＣＨ用のダウンリンクビーム訓練信号を、基地局送信トラフィックビームで端末に送信し、または、端末送信トラフィックビームで送信されるＰＵＳＣＨ用のアップリンクビーム訓練信号を、前記端末送信トラフィックビームに対応する基地局受信トラフィックビームで受信する。
【００３９】
選択可能に、前記第１制御モジュールは、さらに、端末からフィードバックされる信号品質が最適な基地局送信トラフィックビームでＰＤＳＣＨ信号を送信し、または、信号品質が最適な基地局受信トラフィックビームでＰＵＳＣＨ信号を受信する。
【００４０】
選択可能に、前記基地局は、信号品質が最適な基地局送信トラフィックビームおよび／または信号品質が最適な基地局受信トラフィックビームが失効すると、端末からフィードバックされる信号品質が最適な基地局送信共通ビームで接続回復プロセスを行い、および／または、信号品質が最適な基地局受信共通ビームで接続回復プロセスを行う第１接続回復モジュールをさらに含む。
【００４１】
本開示の実施例の第４方面において、端末をさらに提供する。前記端末は、物理チャネルの種類を特定する第２特定モジュールと、前記物理チャネルの種類に基づいて対応種類のビームで物理チャネルの信号を送信または受信する第２制御モジュールとを含む。
【００４２】
選択可能に、前記端末は、さらに、端末送信共通ビーム、端末受信共通ビーム、端末送信トラフィックビームおよび端末受信トラフィックビームのうちの１つまたは複数種類のビームを構成する。
【００４３】
選択可能に、前記端末は、端末受信共通ビームと基地局受信共通ビームの送受信相反性関係を識別し、または、端末受信トラフィックビームと端末送信トラフィックビームの送受信相反性関係を識別する第２識別モジュールをさらに含む。
【００４４】
選択可能に、前記第２制御モジュールは、さらに、同期チャネルに対し、基地局送信共通ビームに対応する端末受信共通ビームによって、基地局送信共通ビームで送信される同期信号を受信し、または、アップリンクランダムアクセスチャネルに対し、端末送信共通ビームでアップリンクランダムアクセス信号を送信する。
【００４５】
選択可能に、前記第２制御モジュールは、さらに、基地局から基地局送信トラフィックビームで送信されるＰＤＳＣＨ用のダウンリンクビーム訓練信号を、前記基地局送信トラフィックビームに対応する端末受信トラフィックビームで受信し、または、ＰＵＳＣＨ用のアップリンクビーム訓練信号を端末送信トラフィックビームで送信する。
【００４６】
選択可能に、前記第２制御モジュールは、さらに、信号品質が最適な端末受信トラフィックビームでＰＤＳＣＨ信号を受信し、または、基地局からフィードバックされる信号品質が最適な端末送信トラフィックビームでＰＵＳＣＨ信号を送信する。
【００４７】
選択可能に、前記端末は、信号品質が最適な端末受信トラフィックビームおよび／または信号品質が最適な端末送信トラフィックビームが失効すると、基地局からフィードバックされる信号品質が最適な端末送信共通ビームで接続回復プロセスを行い、および／または、信号品質が最適な端末受信共通ビームで接続回復プロセスを行う第２接続回復モジュールをさらに含む。
【００４８】
本開示の実施例の第５方面において、第１メモリ、第１プロセッサおよび第１メモリに記憶されて第１プロセッサで実行可能なコンピュータプログラムを含む基地局をさらに提供し、前記第１プロセッサが前記プログラムを実行すると、上記第１方面に記載のビーム制御方法のステップが実現される。
【００４９】
本開示の実施例の第６方面において、第２メモリ、第２プロセッサおよび第２メモリに記憶されて第２プロセッサで実行可能なコンピュータプログラムを含む端末をさらに提供し、前記第２プロセッサが前記プログラムを実行すると、上記第２方面に記載のビーム制御方法のステップが実現される。
【００５０】
本開示の実施例の第７方面において、コンピュータプログラムが記憶されているコンピュータ読み取り可能な記憶媒体をさらに提供し、当該プログラムがプロセッサによって実行されると、上記第１方面に記載のビーム制御方法のステップ、または、上記第２方面に記載のビーム制御方法のステップが実現される。
【発明の効果】
【００５１】
本開示によれば、開示基地局または端末が物理チャネルの種類に基づいて対応種類のビームで前記物理チャネルの信号を送信または受信することによって、異なる物理チャネルに対する総合的なビーム管理を実現し、従来技術で異なる物理チャネルに対する総合的なビーム管理方法が欠如するという問題を解決し、異なる物理チャネルに対し異なる種類のビームを構成することができ、アクセススケジューリングを減少する。
【００５２】
さらに、基地局が、基地局送信共通ビームと基地局受信共通ビームの送受信相反性関係を識別し、基地局送信トラフィックビームと基地局受信トラフィックビームの送受信相反性関係を識別し、端末が、端末受信共通ビームと端末送信共通ビームの送受信相反性関係を識別し、端末受信トラフィックビームと端末送信トラフィックビームの送受信相反性関係を識別するように、送受信相反性関係のビームを構成することによって、ビーム訓練のスケジューリング時間を減少する。
【００５３】
さらに、基地局側と端末側において、接続状態の失効状態で、共通ビームでトラフィック接続を回復することができる。
【図面の簡単な説明】
【００５４】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００５５】
【図１】アナログビームフォーミング（中間周波数信号の重み付きのフォーミング）の概略図である。
【図２】アナログビームフォーミング（ラジオ周波数信号の重み付きのフォーミング）の概略図である。
【図３】デジタルアナログ混合型ビームフォーミングの概略図である。
【図４】本開示の一部実施例におけるビーム制御方法のフローチャートである。
【図５】本開示の別の一部実施例におけるビーム制御方法のフローチャートである。
【図６】本開示の一部実施例における基地局送信共通ビームと基地局送信トラフィックビームの概略図である。
【図７】本開示の一部実施例における端末送信共通ビームと端末送信トラフィックビームの概略図である。
【図８】本開示の一部実施例における基地局の概略図である。
【図９】本開示の一部実施例における端末の概略図である。
【図１０】本開示の別の一部実施例における基地局の概略図である。
【図１１】本開示の別の一部実施例における端末の概略図である。
【発明を実施するための形態】
【００５６】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００５７】
フルデジタルアンテナアレイの各アンテナユニットには独立な送受信ユニットを有することから、機器のサイズ、コストおよび電力損失は、大幅に上昇する。特に送受信ユニットのアナログデジタルコンバータ（ＡＤＣ）とデジタルアナログコンバータ（ＤＡＣ）にとって、この十年で、その電力損失が１／１０程度しか低下しておらず、性能の向上も比較的に限られている。機器のサイズ、コストおよび電力損失を低下させるには、図１と図２に示すように、アナログビームフォーミングに基づいた技術手段が提案される。アナログビームフォーミングの主な特徴は、移相器による中間周波数信号（図１）またはラジオ周波数信号（図２）の重み付きのフォーミングである。利点として、すべての送信（受信）アンテナに１つの送受信ユニットしか有しておらず、簡単に実現可能であり、コスト、サイズおよび電気損失が低下する。
【００５８】
アナログビームフォーミング性能をさらに向上させるには、図３に示すようなデジタルアナログ混合型ビームフォーミング送受信アーキテクチャが提案される。図３では、送信側と受信側にそれぞれ
【数１】
2020518200.tif 000003
、
【数２】
2020518200.tif 000004
個の送受信ユニットを有し、送信側のアンテナユニット数ＮＴは、
【数３】
2020518200.tif 000005
より多く、受信側のアンテナユニット数ＮＲは、
【数４】
2020518200.tif 000006
より多く、ビームフォーミングにサポートされる最大並行伝送ストリーム数は、
【数５】
2020518200.tif 000007
である。図３の混合型ビームフォーミング構造は、デジタルビームフォーミングの柔軟性とアナログビームフォーミングの低複雑度の間でバランスを取り、複数のデータストリームと複数のユーザの同時フォーミングをサポート可能な能力を有するとともに、複雑度も合理的な範囲内にコントロールされる。
【００５９】
アナログビームフォーミングとデジタルアナログ混合型ビームフォーミングのいずれも、送受信の両方のアナログビームフォーミング重み値とデジタルビームフォーミング重み値を調整する必要があり、それによって、形成されるビームは、通信の相手側に向けられる。トラフィックチャネルとは異なり、アクセスチャネルや制御チャネルは、一回の送信によるセルのすべての方向のユーザに対するアクセスまたは制御ができることが期待される。ナロービームの場合、一回の送信によるセルのすべての方向のユーザに対するアクセスまたは制御が実現されにくいが、アクセスまたは制御の伝送合理性、信頼性および有効性を高めるには、なるべく少ない送信によるすべての方向のユーザに対するアクセスまたは制御をしなければならない。一方、トラフィックチャネルの場合、１つのユーザの伝送を対象とし、より柔軟であり、カバー上の要求が存在しない。
【００６０】
しかし、従来技術において、アクセスチャネル、制御チャネルおよびトラフィックチャネルに対する総合的なビーム管理方法が欠如している。上記の技術問題に鑑み、本発明の実施例は、ビーム制御方法、基地局および端末を提供することによって、異なる物理チャネルに対する総合的なビーム管理を実現し、従来技術で異なる物理チャネルに対する総合的なビーム管理方法が欠如するという問題を解決し、異なる物理チャネルに対し異なる種類のビームを構成することができ、アクセススケジューリングを減少する。
【００６１】
図４には、ビーム制御方法のフローが示されている。当該方法は、ステップ４０１と４０２を含む。
【００６２】
ステップ４０１において、基地局は、物理チャネルの種類を特定する。
【００６３】
上記物理チャネルは、アクセスチャネル、制御チャネル、トラフィックチャネル、同期チャネルなどを含む。
【００６４】
ステップ４０２において、基地局は、物理チャネルの種類に基づいて対応種類のビームで物理チャネルの信号を送信または受信する。
【００６５】
一部の選択可能な実施例の当該方法において、基地局送信共通ビーム、基地局受信共通ビーム、基地局送信トラフィックビームおよび基地局受信トラフィックビームのうちの１つまたは複数種類のビームを、基地局が構成することをさらに含む。
【００６６】
本実施例において、基地局は、物理チャネルの種類に基づいて対応種類のビームで物理チャネルの信号を送信または受信し、異なる物理チャネルに対し異なる種類のビームを構成することによって、アクセススケジューリングを効果的に減少することができる。
【００６７】
一部の選択可能な実施例の当該方法において、基地局が基地局送信共通ビームと基地局受信共通ビームの送受信相反性関係を識別すること、または、基地局が基地局送信トラフィックビームと基地局受信トラフィックビームの送受信相反性関係を識別することをさらに含む。送受信相反性関係のビームを構成することによって、ビーム訓練のスケジューリング時間を減少する。
【００６８】
一部の選択可能な実施例において、基地局が物理チャネルの種類に基づいて対応種類のビームで物理チャネルの信号を送信または受信することは、同期チャネルに対し、基地局が基地局送信共通ビームで同期信号を端末に送信すること、または、アップリンクランダムアクセスチャネルに対し、基地局が、端末送信共通ビームに対応する基地局受信共通ビームによって、端末から端末送信共通ビームで送信されるアップリンクランダムアクセス信号を受信することを含む。
【００６９】
一部の選択可能な実施例において、各基地局送信共通ビームの同期信号は、当該基地局送信共通ビームに対応するビームフォーミング重み値によってフォーミングされてから送信される。
【００７０】
一部の選択可能な実施例において、同期信号は、一定の時間領域リソースと周波数領域リソースで周期的に送信される。
【００７１】
一部の選択可能な実施例において、同期信号は、所定オフセットの時間領域リソースと周波数領域リソースで周期的に送信される。
【００７２】
一部の選択可能な実施例において、同期信号は、オンデマンド（ｏｎ  Ｄｅｍａｎｄ）で非周期的に送信される。
【００７３】
一部の選択可能な実施例において、同期信号は、プリアンブル（ｐｒｅａｍｂｌｅ）に基づいて周期的に送信される。
【００７４】
一部の選択可能な実施例において、同期信号には、基地局送信共通ビームのＩＤを含む。
【００７５】
一部の選択可能な実施例において、各端末送信共通ビームで送信されるアップリンクランダムアクセス信号は、当該端末送信共通ビームに対応するビームフォーミング重み値によってフォーミングされてから送信される。
【００７６】
本実施例において、アップリンクランダムアクセス信号には、端末送信共通ビームのＩＤを含む。
【００７７】
一部の選択可能な実施例において、端末送信共通ビームに対応する基地局受信共通ビームは、端末からフィードバックされる信号品質が最適な基地局送信共通ビームとは送受信相反性を有する基地局受信共通ビーム、または、信号品質が最適な基地局受信共通ビームを含む。
【００７８】
上記の「信号品質が最適」であることとは、信号受信品質が最適であることを指す。基地局送信共通ビームで信号を送信し、端末側で当該信号受信品質が最適であるのであれば、当該基地局送信共通ビームを、信号品質が最適な基地局送信共通ビームと称してもよい。
【００７９】
基地局受信共通ビームで信号を受信し、当該信号受信品質が最適であるのであれば、当該基地局受信共通ビームを、信号品質が最適な基地局受信共通ビームと称してもよい。
【００８０】
一部の選択可能な実施例の当該方法において、基地局が、端末送信共通ビームおよび前記端末送信共通ビームに対応する基地局受信共通ビームに基づいて、信号品質が最適な共通ビーム組み合わせを特定することと、信号品質が最適な共通ビーム組み合わせのうち、信号品質が最適な端末送信共通ビームのＩＤを当該端末に配信し、共通ビーム組み合わせのうち、信号品質が最適な基地局受信共通ビームのＩＤを基地局のローカルに記憶することとをさらに含む。
【００８１】
一部の選択可能な実施例において、基地局が前記物理チャネルの種類に基づいて対応種類のビームで前記物理チャネルの信号を送信または受信することは、基地局が、ＰＤＳＣＨ用のダウンリンクビーム訓練信号を、基地局送信トラフィックビームで端末に送信すること、または、基地局が、端末から端末送信トラフィックビームで送信されるＰＵＳＣＨ用のアップリンクビーム訓練信号を、前記端末送信トラフィックビームに対応する基地局受信トラフィックビームで受信することを含む。
【００８２】
一部の選択可能な実施例において、各基地局送信トラフィックビームで送信されるダウンリンクビーム訓練信号は、当該基地局送信トラフィックビームに対応するビームフォーミング重み値によってフォーミングされてから送信される。または、前記ダウンリンクビーム訓練信号は、周期的に送信され、または非周期的に送信される。または、各端末送信トラフィックビームで送信されるアップリンクビーム訓練信号は、当該端末送信トラフィックビームに対応するビームフォーミング重み値によってフォーミングされてから送信される。
【００８３】
一部の選択可能な実施例において、前記端末送信トラフィックビームに対応する基地局受信トラフィックビームは、端末からフィードバックされる信号品質が最適な基地局送信トラフィックビームとは送受信相反性を有する基地局受信トラフィックビーム、または、信号品質が最適な基地局受信トラフィックビームを含む。
【００８４】
上記の「信号品質が最適」であることとは、信号受信品質が最適であることを指す。
【００８５】
基地局送信トラフィックビームで信号を送信し、端末側で当該信号受信品質が最適であるのであれば、当該基地局送信トラフィックビームを、信号品質が最適な基地局送信トラフィックビームと称してもよい。
【００８６】
基地局受信トラフィックビームで信号を受信し、当該信号受信品質が最適であるのであれば、当該基地局受信トラフィックビームを、信号品質が最適な基地局受信トラフィックビームと称してもよい。
【００８７】
一部の選択可能な実施例において、基地局が前記物理チャネルの種類に基づいて対応種類のビームで前記物理チャネルの信号を送信または受信することは、基地局が、端末送信トラフィックビームおよび端末送信トラフィックビームに対応する基地局受信トラフィックビームに基づいて、信号品質が最適なトラフィックビーム組み合わせを特定することと、信号品質が最適なトラフィックビーム組み合わせのうち、信号品質が最適な端末送信トラフィックビームのＩＤを当該端末に配信し、信号品質が最適なトラフィックビーム組み合わせのうち、信号品質が最適な基地局受信トラフィックビームのＩＤを基地局のローカルに記憶することとをさらに含む。
【００８８】
一部の選択可能な実施例において、基地局が物理チャネルの種類に基づいて対応種類のビームで前記物理チャネルの信号を送信または受信することは、基地局が、端末からフィードバックされる信号品質が最適な基地局送信トラフィックビームでＰＤＳＣＨ信号を送信すること、または、基地局が、信号品質が最適な基地局受信トラフィックビームでＰＵＳＣＨ信号を受信することを含む。
【００８９】
一部の選択可能な実施例の当該方法において、信号品質が最適な基地局送信トラフィックビームおよび／または信号品質が最適な基地局受信トラフィックビームが失効すると、前記基地局が、端末からフィードバックされる信号品質が最適な基地局送信共通ビームで接続回復プロセスを行い、および／または、前記基地局が、信号品質が最適な基地局受信共通ビームで接続回復プロセスを行うことをさらに含む。接続状態の失効状態で、共通ビームでトラフィック接続を回復することが実現される。
【００９０】
図５には、端末側のビーム制御方法のフローが示される。当該方法において、具体的に、端末が物理チャネルの種類を特定するステップ５０１と、端末が前記物理チャネルの種類に基づいて対応種類のビームで物理チャネルの信号を送信または受信するステップ５０２とを含む。
【００９１】
一部の選択可能な実施例の当該方法において、端末送信共通ビーム、端末受信共通ビーム、端末送信トラフィックビームおよび端末受信トラフィックビームのうちの１つまたは複数種類のビームを、端末が構成することをさらに含む。本実施例において、異なる物理チャネルに対し異なる種類のビームを構成することによって、アクセススケジューリングを効果的に減少することができる。
【００９２】
一部の選択可能な実施例の当該方法において、端末が端末受信共通ビームと端末送信共通ビームの送受信相反性関係を識別すること、または、端末が端末受信トラフィックビームと端末送信トラフィックビームの送受信相反性関係を識別することをさらに含む。
【００９３】
一部の選択可能な実施例において、前記端末が前記物理チャネルの種類に基づいて対応種類のビームで物理チャネルの信号を送信または受信することは、端末が、前記基地局送信共通ビームに対応する端末受信共通ビームによって、前期基地局から基地局送信共通ビームで送信される同期信号を受信すること、または、前記端末が、端末送信共通ビームでアップリンクランダムアクセス信号を送信することを含む。
【００９４】
一部の選択可能な実施例の当該方法において、端末が、基地局送信共通ビームおよび前記基地局送信共通ビームに対応する端末受信共通ビームに基づいて、信号品質が最適な共通ビーム組み合わせを特定することと、信号品質が最適な共通ビーム組み合わせのうち、信号品質が最適な基地局送信共通ビームのＩＤを当該基地局にフィードバックし、共通ビーム組み合わせのうち、信号品質が最適な端末受信共通ビームのＩＤを端末のローカルに記憶することとをさらに含む。
【００９５】
一部の選択可能な実施例において、端末が端末送信共通ビームでアップリンクランダムアクセス信号を送信することは、端末が、信号品質が最適な端末受信共通ビームとは送受信相反性を有する端末送信共通ビームでアップリンクランダムアクセス信号を送信すること、または、端末が、端末送信共通ビーム候補毎に１つのアップリンクランダムアクセス信号を送信することを含む。
【００９６】
一部の選択可能な実施例において、端末が前記物理チャネルの種類に基づいて対応種類のビームで物理チャネルの信号を送信または受信することは、端末が、基地局から基地局送信トラフィックビームで送信されるＰＤＳＣＨ用のダウンリンクビーム訓練信号を、前記基地局送信トラフィックビームに対応する端末受信トラフィックビームで受信すること、または、端末が、ＰＵＳＣＨ用のアップリンクビーム訓練信号を端末送信トラフィックビームで送信することを含む。
【００９７】
一部の選択可能な実施例の当該方法において、端末が、基地局送信トラフィックビームおよび前記基地局送信トラフィックビームに対応する端末受信トラフィックビームに基づいて、信号品質が最適なトラフィックビーム組み合わせを特定することと、信号品質が最適なトラフィックビーム組み合わせのうち、信号品質が最適な基地局送信トラフィックビームのＩＤを当該基地局にフィードバックし、信号品質が最適なトラフィックビーム組み合わせのうち、信号品質が最適な端末受信トラフィックビームのＩＤを端末のローカルに記憶することとをさらに含む。
【００９８】
一部の選択可能な実施例において、端末が、ＰＵＳＣＨ用のアップリンクビーム訓練信号を端末送信トラフィックビームで送信することは、端末が、ＰＵＳＣＨ用のアップリンクビーム訓練信号を、信号品質が最適な端末受信トラフィックビームとは送受信相反性を有する端末送信トラフィックビームで送信すること、または、端末が、１つのＰＵＳＣＨ用のアップリンクビーム訓練信号を、端末送信トラフィックビーム毎に送信することを含む。
【００９９】
一部の選択可能な実施例において、端末が前記物理チャネルの種類に基づいて対応種類のビームで物理チャネルの信号を送信または受信することは、端末が、信号品質が最適な端末受信トラフィックビームでＰＤＳＣＨ信号を受信すること、または、端末が、基地局からフィードバックされる信号品質が最適な端末送信トラフィックビームでＰＵＳＣＨ信号を送信することを含む。
【０１００】
一部の選択可能な実施例の当該方法において、信号品質が最適な端末受信トラフィックビームおよび／または信号品質が最適な端末送信トラフィックビームが失効すると、前記端末が、基地局からフィードバックされる信号品質が最適な端末送信共通ビームで接続回復プロセスを行い、および／または、端末が、信号品質が最適な端末受信共通ビームで接続回復プロセスを行うことをさらに含む。
【０１０１】
以下、アクセスチャネル、制御チャネルおよびトラフィックチャネルに対する総合的なビーム管理によって、本開示の具体的な実施形態を紹介する。
【０１０２】
本実施例において、基地局は、４種類のビームを構成し、端末は、４種類のビームを構成する。
【０１０３】
基地局は、基地局送信共通ビーム（ＢＳ  ＴＸ  Ｃｏｍｍｏｎ  Ｂｅａｍ）、基地局受信共通ビーム（ＢＳ  ＲＸ  Ｃｏｍｍｏｎ  Ｂｅａｍ）、基地局送信トラフィックビーム（ＢＳ  ＴＸ  Ｔｒａｆｆｉｃ  Ｂｅａｍ）、基地局受信トラフィックビーム（ＢＳ  ＲＸ  Ｔｒａｆｆｉｃ  Ｂｅａｍ）との４種類のビームを構成する。図６には、基地局送信共通ビームと基地局送信トラフィックビームが示されている。異なる物理チャネルに対し異なる種類のビームを構成することによって、アクセススケジューリングを減少する。
【０１０４】
しかも、基地局は、基地局送信共通ビーム（ＢＳ  ＴＸ  Ｃｏｍｍｏｎ  Ｂｅａｍ）とは送受信相反性を有する基地局受信共通ビーム（ＢＳ  ＲＸ  Ｃｏｍｍｏｎ  Ｂｅａｍ）を識別し、基地局送信トラフィックビーム（ＢＳ  ＴＸ  Ｔｒａｆｆｉｃ  Ｂｅａｍ）とは送受信相反性を有する基地局受信トラフィックビーム（ＢＳ  ＲＸ  Ｔｒａｆｆｉｃ  Ｂｅａｍ）を識別する。送受信相反性関係のビームを構成することによって、ビーム訓練のスケジューリング時間を減少する。
【０１０５】
なお、送受信相反性が存在するのであれば識別するが、送受信相反性が存在しないのであれば識別しない。基地局側において、送信ビームで送受信相反性を識別してもよく、受信ビームで送受信相反性を識別してもよい。選択可能に、基地局側において、送信ビームで送受信相反性を識別する。
【０１０６】
端末は、端末送信共通ビーム（ＵＥ  ＴＸ  Ｃｏｍｍｏｎ  Ｂｅａｍ）、端末受信共通ビーム（ＵＥ  ＲＸ  Ｃｏｍｍｏｎ  Ｂｅａｍ）、端末送信トラフィックビーム（ＵＥ  ＴＸ  Ｔｒａｆｆｉｃ  Ｂｅａｍ）、端末受信トラフィックビーム（ＵＥ  ＲＸ  Ｔｒａｆｆｉｃ  Ｂｅａｍ）との４種類のビームを構成する。図７には、端末送信共通ビームと端末送信トラフィックビームが示されている。異なる物理チャネルに対し異なる種類のビームを構成することによって、アクセススケジューリングを減少する。
【０１０７】
しかも、端末は、端末受信共通ビーム（ＵＥ  ＲＸ  Ｃｏｍｍｏｎ  Ｂｅａｍ）とは送受信相反性を有する端末送信共通ビーム（ＵＥ  ＴＸ  Ｃｏｍｍｏｎ  Ｂｅａｍ）を識別し、端末受信トラフィックビーム（ＵＥ  ＲＸ  Ｔｒａｆｆｉｃ  Ｂｅａｍ）とは送受信相反性を有する端末送信トラフィックビーム（ＵＥ  ＴＸ  Ｔｒａｆｆｉｃ  Ｂｅａｍ）を識別する。送受信相反性関係のビームを構成することによって、ビーム訓練のスケジューリング時間を減少する。
【０１０８】
なお、送受信相反性が存在するのであれば識別するが、送受信相反性が存在しないのであれば識別しない。端末側において、送信ビームで送受信相反性を識別してもよく、受信ビームで送受信相反性を識別してもよい。選択可能に、端末側において、受信ビームで送受信相反性を識別する。
【０１０９】
基地局は、物理チャネルの種類に基づいて対応種類のビームで送信（または受信）する。端末も、物理チャネルの種類に基づいて、対応種類のビームで送信（または受信）する。
【０１１０】
本実施例において、基地局は、基地局送信共通ビーム（ＢＳ  ＴＸ  Ｃｏｍｍｏｎ  Ｂｅａｍ）で同期信号を送信し、端末は、端末受信共通ビーム（ＵＥ  ＲＸ  Ｃｏｍｍｏｎ  Ｂｅａｍ）で同期信号を受信する。端末は、端末送信共通ビーム（ＵＥ  ＴＸ  Ｃｏｍｍｏｎ  Ｂｅａｍ）でアップリンクランダムアクセス信号を送信し、基地局は、基地局受信共通ビーム（ＢＳ  ＲＸ  Ｃｏｍｍｏｎ  Ｂｅａｍ）でアップリンクランダムアクセス信号を受信する。
【０１１１】
具体的に、基地局は、基地局送信共通ビーム（ＢＳ  ＴＸ  Ｃｏｍｍｏｎ  Ｂｅａｍ）で同期信号を送信する。
【０１１２】
基地局に計
【数６】
2020518200.tif 000008
個の基地局送信共通ビーム（ＢＳ  ＴＸ  Ｃｏｍｍｏｎ  Ｂｅａｍ）候補を有するとし、各基地局送信共通ビーム（ＢＳ  ＴＸ  Ｃｏｍｍｏｎ  Ｂｅａｍ）が１組のビームフォーミング重み値に対応し、第ｎ個の基地局送信共通ビームのフォーミング重み値は、
【数７】
2020518200.tif 000009
である。ここでＫは、ビームフォーミングのアンテナユニット数であり、基地局のアンテナユニット数より小さい。たとえば、１つの基地局送信共通ビーム（ＢＳ  ＴＸ  Ｃｏｍｍｏｎ  Ｂｅａｍ）は、１つの送受信ユニットに接続されたＫ個のアンテナユニットのみから送信される。
【０１１３】
基地局は、基地局送信共通ビーム（ＢＳ  ＴＸ  Ｃｏｍｍｏｎ  Ｂｅａｍ）候補毎に１つの同期信号を送信する。たとえば、
【数８】
2020518200.tif 000010
個の基地局送信共通ビーム（ＢＳ  ＴＸ  Ｃｏｍｍｏｎ  Ｂｅａｍ）に対し、基地局は、
【数９】
2020518200.tif 000011
個の同期信号を送信する。当該
【数１０】
2020518200.tif 000012
個の同期信号の間は、ＴＤＭ、ＦＤＭまたは各種類の多重化方式の組み合わせが用いられる。たとえば、ＯＦＤＭを基とするシステムにおいて、
【数１１】
2020518200.tif 000013
個の同期信号は、
【数１２】
2020518200.tif 000014
個のＯＦＤＭシンボルを占め、各同期信号は、１つのＯＦＤＭシンボルを占め、同期信号の間は、ＴＤＭである。１つのＯＦＤＭシンボルで複数のビームの同期信号を送信してもよく、それらの間は、ＦＤＭである。
【０１１４】
各基地局送信共通ビーム（ＢＳ  ＴＸ  Ｃｏｍｍｏｎ  Ｂｅａｍ）で送信される同期信号は、当該ビームに対応するビームフォーミング重み値でフォーミングされてから送信される。
【０１１５】
選択可能に、同期信号は、一定の時間領域リソースと周波数領域リソースで周期的に送信され、または、所定オフセットの時間領域リソースと周波数領域リソースで周期的に送信され、または、オンデマンドで非周期的に送信され、または、プリアンブルに基づいて周期的に送信される。
【０１１６】
選択可能に、同期信号には、基地局送信共通ビーム（ＢＳ  ＴＸ  Ｃｏｍｍｏｎ  Ｂｅａｍ）のＩＤを含む。
【０１１７】
端末は、基地局から送信される同期信号を受信し、同期信号を復調することによって、
【数１３】
2020518200.tif 000015
個の基地局送信共通ビーム（ＢＳ  ＴＸ  Ｃｏｍｍｏｎ  Ｂｅａｍ）の受信品質を特定し、基地局送信共通ビーム（ＢＳ  ＴＸ  Ｃｏｍｍｏｎ  Ｂｅａｍ）に対応する端末受信共通ビーム（ＵＥ  ＲＸ  Ｃｏｍｍｏｎ  Ｂｅａｍ）を特定する。
【０１１８】
１つの基地局送信共通ビーム（ＢＳ  ＴＸ  Ｃｏｍｍｏｎ  Ｂｅａｍ）に対し、端末は、対応する端末受信共通ビーム（ＵＥ  ＲＸ  Ｃｏｍｍｏｎ  Ｂｅａｍ）を特定する。端末の端末受信共通ビーム（ＵＥ  ＲＸ  Ｃｏｍｍｏｎ  Ｂｅａｍ）は、端末受信共通ビーム（ＵＥ  ＲＸ  Ｃｏｍｍｏｎ  Ｂｅａｍ）候補から選択される。端末は、計
【数１４】
2020518200.tif 000016
個の端末受信共通ビーム（ＵＥ  ＲＸ  Ｃｏｍｍｏｎ  Ｂｅａｍ）を有し、各端末受信共通ビーム（ＵＥ  ＲＸ  Ｃｏｍｍｏｎ  Ｂｅａｍ）が１組のビームフォーミング重み値に対応し、第ｎ個の端末受信共通ビーム（ＵＥ  ＲＸ  Ｃｏｍｍｏｎ  Ｂｅａｍ）のビームフォーミング重み値は、
【数１５】
2020518200.tif 000017
である。ここでＬは、ビームフォーミングのアンテナユニット数であり、端末のアンテナユニット数より小さい。たとえば、Ｌ個のアンテナユニットで受信された信号は、ビームフォーミング重み値によって重み付けられてから１つの送受信ユニットにまとめて送信される。端末は、１つの同期信号に対し、各端末受信共通ビーム（ＵＥ  ＲＸ  Ｃｏｍｍｏｎ  Ｂｅａｍ）で受信を試み、受信信号電力の最も強い端末受信共通ビーム（ＵＥ  ＲＸ  Ｃｏｍｍｏｎ  Ｂｅａｍ）を、当該基地局送信共通ビーム（ＢＳ  ＴＸ  Ｃｏｍｍｏｎ  Ｂｅａｍ）に対応する受信ビームとして選択する。
【０１１９】
端末は、
【数１６】
2020518200.tif 000018
個の基地局送信共通ビーム（ＢＳ  ＴＸ  Ｃｏｍｍｏｎ  Ｂｅａｍ）と
【数１７】
2020518200.tif 000019
個の端末受信共通ビーム（ＵＥ  ＲＸ  Ｃｏｍｍｏｎ  Ｂｅａｍ）から信号品質が最適な共通ビーム組み合わせを選択し、共通ビーム組み合わせのうち、信号品質が最適な基地局送信共通ビーム（Ｂｅｓｔ  ＢＳ  ＴＸ  Ｃｏｍｍｏｎ  Ｂｅａｍ）のＩＤを基地局にフィードバックし、共通ビーム組み合わせのうち、信号品質が最適な端末受信共通ビーム（Ｂｅｓｔ  ＵＥ  ＲＸ  Ｃｏｍｍｏｎ  Ｂｅａｍ）のＩＤを端末のローカルに記憶する。
【０１２０】
具体的に、端末は、信号品質が最適な端末受信共通ビーム（ＵＥ  ＲＸ  Ｃｏｍｍｏｎ  Ｂｅａｍ）とは送受信相反性を有する端末送信共通ビーム（ＵＥ  ＴＸ  Ｃｏｍｍｏｎ  Ｂｅａｍ）でアップリンクランダムアクセス信号を送信する。
【０１２１】
端末は、信号品質が最適な端末受信共通ビーム（Ｂｅｓｔ  ＵＥ  ＲＸ  Ｃｏｍｍｏｎ  Ｂｅａｍ）で識別され、対応する送受信相反性を有する端末送信共通ビーム（ＵＥ  ＴＸ  Ｃｏｍｍｏｎ  Ｂｅａｍ）を検索する。
【０１２２】
送受信相反性関係が存在するのであれば、送受信相反性を有する端末送信共通ビーム（ＵＥ  ＴＸ  Ｃｏｍｍｏｎ  Ｂｅａｍ）でアップリンクランダムアクセス信号を送信する。
【０１２３】
送受信相反性関係が存在しないのであれば、以下の方式でアップリンクランダムアクセス信号を送信する。端末に計
【数１８】
2020518200.tif 000020
個の端末送信共通ビーム（ＵＥ  ＴＸ  Ｃｏｍｍｏｎ  Ｂｅａｍ）候補を有するとし、各端末送信共通ビーム（ＵＥ  ＴＸ  Ｃｏｍｍｏｎ  Ｂｅａｍ）が１組のビームフォーミング重み値に対応し、第ｎ個の端末送信共通ビームのフォーミング重み値は、
【数１９】
2020518200.tif 000021
である。ここでＬは、ビームフォーミングのアンテナユニット数であり、端末のアンテナユニット数より小さい。たとえば、１つの端末送信共通ビーム（ＵＥ  ＴＸ  Ｃｏｍｍｏｎ  Ｂｅａｍ）は、１つの送受信ユニットに接続されたＬ個のアンテナユニットのみから送信される。
【０１２４】
端末は、端末送信共通ビーム（ＵＥ  ＴＸ  Ｃｏｍｍｏｎ  Ｂｅａｍ）候補毎に１つのアップリンクランダムアクセス信号を送信する。たとえば、
【数２０】
2020518200.tif 000022
個の端末送信共通ビーム（ＵＥ  ＴＸ  Ｃｏｍｍｏｎ  Ｂｅａｍ）に対し、端末は、
【数２１】
2020518200.tif 000023
個のアップリンクランダムアクセス信号を送信する。当該
【数２２】
2020518200.tif 000024
個のランダムアクセス信号の間は、ＴＤＭ、ＦＤＭまたは各種類の多重化方式の組み合わせが用いられる。たとえば、ＯＦＤＭを基とするシステムにおいて、
【数２３】
2020518200.tif 000025
個のアップリンクランダムアクセス信号は、
【数２４】
2020518200.tif 000026
個のＯＦＤＭシンボルを占め、各アップリンクランダムアクセス信号は、１つのＯＦＤＭシンボルを占め、アップリンクランダムアクセス信号の間は、ＴＤＭである。１つのＯＦＤＭシンボルで複数のビームのアップリンクランダムアクセス信号を送信してもよく、それらの間は、ＦＤＭである。
【０１２５】
各端末送信共通ビーム（ＵＥ  ＴＸ  Ｃｏｍｍｏｎ  Ｂｅａｍ）のアップリンクランダムアクセス信号は、当該ビームに対応するビームフォーミング重み値でフォーミングされてから送信される。
【０１２６】
アップリンクランダムアクセス信号は、端末送信共通ビーム（ＵＥ  ＴＸ  Ｃｏｍｍｏｎ  Ｂｅａｍ）のＩＤが付帯されたアップリンクランダムアクセス信号を含む。
【０１２７】
基地局は、端末から送信されるアップリンクランダムアクセス信号を受信し、アップリンクランダムアクセス信号を復調することによって、１つまたは
【数２５】
2020518200.tif 000027
個の端末送信共通ビーム（ＵＥ  ＴＸ  Ｃｏｍｍｏｎ  Ｂｅａｍ）の受信品質を特定し、端末送信共通ビーム（ＵＥ  ＴＸ  Ｃｏｍｍｏｎ  Ｂｅａｍ）に対応する基地局受信共通ビーム（ＢＳ  ＲＸ  Ｃｏｍｍｏｎ  Ｂｅａｍ）を特定する。
【０１２８】
基地局は、端末からフィードバックされる信号品質が最適な基地局送信共通ビーム（ＢＳ  ＴＸ  Ｃｏｍｍｏｎ  Ｂｅａｍ）とは送受信相反性を有する基地局受信共通ビーム（ＢＳ  ＲＸ  Ｃｏｍｍｏｎ  Ｂｅａｍ）を検索する。
【０１２９】
送受信相反性関係が存在するのであれば、１つのアップリンクランダムアクセス信号に対し、基地局は、端末からフィードバックされる最適な基地局送信共通ビーム（ＢＳ  ＴＸ  Ｃｏｍｍｏｎ  Ｂｅａｍ）とは送受信相反性を有する基地局受信共通ビーム（ＢＳ  ＲＸ  Ｃｏｍｍｏｎ  Ｂｅａｍ）を、当該端末送信共通ビーム（ＵＥ  ＴＸ  Ｃｏｍｍｏｎ  Ｂｅａｍ）に対応する受信ビームとする。
【０１３０】
送受信相反性関係が存在しないのであれば、１つの端末送信共通ビーム（ＵＥ  ＴＸ  Ｃｏｍｍｏｎ  Ｂｅａｍ）に対し、基地局は、対応する基地局受信共通ビーム（ＢＳ  ＲＸ  Ｃｏｍｍｏｎ  Ｂｅａｍ）を特定する。基地局の基地局受信共通ビーム（ＢＳ  ＲＸ  Ｃｏｍｍｏｎ  Ｂｅａｍ）は、基地局受信共通ビーム（ＢＳ  ＲＸ  Ｃｏｍｍｏｎ  Ｂｅａｍ）候補から選択される。基地局は、計
【数２６】
2020518200.tif 000028
個の基地局受信共通ビーム（ＢＳ  ＲＸ  Ｃｏｍｍｏｎ  Ｂｅａｍ）を有し、各基地局受信共通ビーム（ＢＳ  ＲＸ  Ｃｏｍｍｏｎ  Ｂｅａｍ）が１組のビームフォーミング重み値に対応し、第ｎ個の基地局受信共通ビーム（ＢＳ  ＲＸ  Ｃｏｍｍｏｎ  Ｂｅａｍ）のビームフォーミング重み値は、
【数２７】
2020518200.tif 000029
である。ここでＫは、ビームフォーミングのアンテナユニット数であり、基地局のアンテナユニット数より小さい。たとえば、Ｋ個のアンテナユニットで受信された信号は、ビームフォーミング重み値によって重み付けられてから１つの送受信ユニットにまとめて送信される。基地局は、１つのアップリンクランダムアクセス信号に対し、各基地局受信共通ビーム（ＢＳ  ＲＸ  Ｃｏｍｍｏｎ  Ｂｅａｍ）で受信を試み、受信信号電力の最も強い基地局受信共通ビーム（ＢＳ  ＲＸ  Ｃｏｍｍｏｎ  Ｂｅａｍ）を、当該端末送信共通ビーム（ＵＥ  ＴＸ  Ｃｏｍｍｏｎ  Ｂｅａｍ）に対応する受信ビームとして選択する。
【０１３１】
基地局は、１つまたは
【数２８】
2020518200.tif 000030
個の端末送信共通ビーム（ＵＥ  ＴＸ  Ｃｏｍｍｏｎ  Ｂｅａｍ）と１つまたは
【数２９】
2020518200.tif 000031
個の基地局受信共通ビーム（ＢＳ  ＲＸ  Ｃｏｍｍｏｎ  Ｂｅａｍ）から最適な共通ビーム組み合わせを選択し、共通ビーム組み合わせのうち、信号品質が最適な端末送信共通ビーム（Ｂｅｓｔ  ＵＥ  ＴＸ  Ｃｏｍｍｏｎ  Ｂｅａｍ）のＩＤを当該端末に配信し、共通ビーム組み合わせのうち、信号品質が最適な基地局受信共通ビーム（Ｂｅｓｔ  ＢＳ  ＲＸ  Ｃｏｍｍｏｎ  Ｂｅａｍ）のＩＤを基地局のローカルに記憶する。
【０１３２】
本実施例において、基地局は、基地局送信トラフィックビーム（ＢＳ  ＴＸ  Ｔｒａｆｆｉｃ  Ｂｅａｍ）でＰＤＳＣＨのダウンリンクビーム訓練信号を送信し、端末は、端末受信トラフィックビーム（ＵＥ  ＲＸ  Ｔｒａｆｆｉｃ  Ｂｅａｍ）でＰＤＳＣＨのダウンリンクビーム訓練信号を受信する。端末は、端末送信トラフィックビーム（ＵＥ  ＴＸ  Ｔｒａｆｆｉｃ  Ｂｅａｍ）でＰＵＳＣＨのアップリンクビーム訓練信号を送信し、基地局は、基地局受信トラフィックビームで（ＢＳ  ＲＸ  Ｔｒａｆｆｉｃ  Ｂｅａｍ）でＰＵＳＣＨのアップリンクビーム訓練信号を受信する。
【０１３３】
具体的に、基地局は、基地局送信トラフィックビーム（ＢＳ  ＴＸ  Ｔｒａｆｆｉｃ  Ｂｅａｍ）でＰＤＳＣＨ用のダウンリンクビーム訓練信号を送信する。
【０１３４】
基地局に計
【数３０】
2020518200.tif 000032
個の基地局送信トラフィックビーム（ＢＳ  ＴＸ  Ｔｒａｆｆｉｃ  Ｂｅａｍ）候補を有するとし、各基地局送信トラフィックビーム（ＢＳ  ＴＸ  Ｔｒａｆｆｉｃ  Ｂｅａｍ）が１組のビームフォーミング重み値に対応し、第ｎ個の基地局送信共通ビームのフォーミング重み値は、
【数３１】
2020518200.tif 000033
である。ここでＫは、ビームフォーミングのアンテナユニット数であり、基地局のアンテナユニット数より小さい。たとえば、１つの基地局送信トラフィックビーム（ＢＳ  ＴＸ  Ｔｒａｆｆｉｃ  Ｂｅａｍ）は、１つの送受信ユニットに接続されたＫ個のアンテナユニットのみから送信される。
【０１３５】
基地局は、基地局送信トラフィックビーム（ＢＳ  ＴＸ  Ｔｒａｆｆｉｃ  Ｂｅａｍ）候補毎に１つのビーム訓練信号（またはビーム識別信号と称する）を送信する。たとえば、
【数３２】
2020518200.tif 000034
個の基地局送信トラフィックビーム（ＢＳ  ＴＸ  Ｔｒａｆｆｉｃ  Ｂｅａｍ）に対し、基地局は、
【数３３】
2020518200.tif 000035
個のビーム訓練信号を送信する。当該
【数３４】
2020518200.tif 000036
個の訓練信号の間は、ＴＤＭ、ＦＤＭ、ＣＤＭまたは各種類の多重化方式の組み合わせが用いられる。たとえば、ＯＦＤＭを基とするシステムにおいて、
【数３５】
2020518200.tif 000037
個の訓練信号は、
【数３６】
2020518200.tif 000038
個のＯＦＤＭシンボルを占め、各訓練信号は、１つのＯＦＤＭシンボルを占め、訓練信号の間は、ＴＤＭである。１つのＯＦＤＭシンボルで複数のビームの訓練信号を送信してもよく、それらの間は、ＦＤＭまたはＣＤＭである。
【０１３６】
各基地局送信トラフィックビーム（ＢＳ  ＴＸ  Ｔｒａｆｆｉｃ  Ｂｅａｍ）のビーム訓練信号は、当該ビームに対応するビームフォーミング重み値でフォーミングされてから送信される。
【０１３７】
ビーム訓練信号は、周期的に送信され、または非周期的に送信される。
【０１３８】
端末は、基地局から送信されるＰＤＳＣＨ用のビーム訓練信号を受信し、ビーム訓練信号を測定することによって、
【数３７】
2020518200.tif 000039
個の基地局送信トラフィックビーム（ＢＳ  ＴＸ  Ｔｒａｆｆｉｃ  Ｂｅａｍ）の受信品質を特定し、基地局送信トラフィックビーム（ＢＳ  ＴＸ  Ｔｒａｆｆｉｃ  Ｂｅａｍ）に対応する端末受信トラフィックビーム（ＵＥ  ＲＸ  Ｔｒａｆｆｉｃ  Ｂｅａｍ）を特定する。基地局送信トラフィックビーム（ＢＳ  ＴＸ  Ｔｒａｆｆｉｃ  Ｂｅａｍ）の受信品質は、参照信号受信電力（ＲＳＲＰ）によって示されるが、ほかの測定量で示されてもよい。
【０１３９】
１つの基地局送信トラフィックビーム（ＢＳ  ＴＸ  Ｔｒａｆｆｉｃ  Ｂｅａｍ）に対し、端末は、対応する端末受信トラフィックビーム（ＵＥ  ＲＸ  Ｔｒａｆｆｉｃ  Ｂｅａｍ）を特定する。端末の端末受信トラフィックビーム（ＵＥ  ＲＸ  Ｔｒａｆｆｉｃ  Ｂｅａｍ）は、端末受信トラフィックビーム（ＵＥ  ＲＸ  Ｔｒａｆｆｉｃ  Ｂｅａｍ）候補から選択される。端末は、計
【数３８】
2020518200.tif 000040
個の端末受信トラフィックビーム（ＵＥ  ＲＸ  Ｔｒａｆｆｉｃ  Ｂｅａｍ）を有し、各端末受信トラフィックビーム（ＵＥ  ＲＸ  Ｔｒａｆｆｉｃ  Ｂｅａｍ）が１組のビームフォーミング重み値に対応し、第ｎ個の端末受信トラフィックビーム（ＵＥ  ＲＸ  Ｔｒａｆｆｉｃ  Ｂｅａｍ）のビームフォーミング重み値は、
【数３９】
2020518200.tif 000041
である。ここでＬは、ビームフォーミングのアンテナユニット数であり、端末のアンテナユニット数より小さい。たとえば、Ｌ個のアンテナユニットで受信された信号は、ビームフォーミング重み値によって重み付けられてから１つの送受信ユニットにまとめて送信される。端末は、１つの同期信号に対し、各端末受信トラフィックビーム（ＵＥ  ＲＸ  Ｔｒａｆｆｉｃ  Ｂｅａｍ）で受信を試み、受信信号電力の最も強い端末受信トラフィックビーム（ＵＥ  ＲＸ  Ｔｒａｆｆｉｃ  Ｂｅａｍ）を、当該基地局送信トラフィックビーム（ＢＳ  ＴＸ  Ｔｒａｆｆｉｃ  Ｂｅａｍ）に対応する受信ビームとして選択する。
【０１４０】
端末は、
【数４０】
2020518200.tif 000042
個の基地局送信トラフィックビーム（ＢＳ  ＴＸ  Ｔｒａｆｆｉｃ  Ｂｅａｍ）と
【数４１】
2020518200.tif 000043
個の端末受信トラフィックビーム（ＵＥ  ＲＸ  Ｔｒａｆｆｉｃ  Ｂｅａｍ）から最適なトラフィックビーム組み合わせを選択し、トラフィックビーム組み合わせのうち、最適な基地局送信トラフィックビーム（Ｂｅｓｔ  ＢＳ  ＴＸ  Ｔｒａｆｆｉｃ  Ｂｅａｍ）のＩＤを基地局にフィードバックし、トラフィックビーム組み合わせのうち、最適な端末受信トラフィックビーム（Ｂｅｓｔ  ＵＥ  ＲＸ  Ｔｒａｆｆｉｃ  Ｂｅａｍ）のＩＤを端末のローカルに記憶する。
【０１４１】
具体的に、端末は、信号品質が最適な端末受信トラフィックビーム（ＵＥ  ＲＸ  Ｔｒａｆｆｉｃ  Ｂｅａｍ）とは送受信相反性を有する端末送信トラフィックビーム（ＵＥ  ＴＸ  Ｔｒａｆｆｉｃ  Ｂｅａｍ）でＰＵＳＣＨ用のアップリンクビーム訓練信号を送信する。
【０１４２】
端末は、信号品質が最適な端末受信トラフィックビーム（Ｂｅｓｔ  ＵＥ  ＲＸ  Ｔｒａｆｆｉｃ  Ｂｅａｍ）で識別され、対応する送受信相反性を有する端末送信トラフィックビーム（ＵＥ  ＴＸ  Ｔｒａｆｆｉｃ  Ｂｅａｍ）を検索する。
【０１４３】
送受信相反性関係が存在するのであれば、送受信相反性を有する端末送信トラフィックビーム（ＵＥ  ＴＸ  Ｔｒａｆｆｉｃ  Ｂｅａｍ）でアップリンクビーム訓練信号を送信する。
【０１４４】
送受信相反性関係が存在しないのであれば、端末に計
【数４２】
2020518200.tif 000044
個の端末送信トラフィックビーム（ＵＥ  ＴＸ  Ｔｒａｆｆｉｃ  Ｂｅａｍ）候補を有するとし、各端末送信トラフィックビーム（ＵＥ  ＴＸ  Ｔｒａｆｆｉｃ  Ｂｅａｍ）が１組のビームフォーミング重み値に対応し、第ｎ個の端末送信トラフィックビームのフォーミング重み値は、
【数４３】
2020518200.tif 000045
である。ここでＬは、ビームフォーミングのアンテナユニット数であり、端末のアンテナユニット数より小さい。たとえば、１つの端末送信トラフィックビーム（ＵＥ  ＴＸ  Ｔｒａｆｆｉｃ  Ｂｅａｍ）は、１つの送受信ユニットに接続されたＬ個のアンテナユニットのみから送信される。
【０１４５】
端末は、端末送信トラフィックビーム（ＵＥ  ＴＸ  Ｔｒａｆｆｉｃ  Ｂｅａｍ）候補毎に１つのアップリンクビーム訓練信号を送信する。たとえば、
【数４４】
2020518200.tif 000046
個の端末送信トラフィックビーム（ＵＥ  ＴＸ  Ｔｒａｆｆｉｃ  Ｂｅａｍ）に対し、端末は、
【数４５】
2020518200.tif 000047
個のアップリンクビーム訓練信号を送信する。当該
【数４６】
2020518200.tif 000048
個のアップリンクビーム訓練信号の間は、ＴＤＭ、ＦＤＭ、ＣＤＭまたは各種類の多重化方式の組み合わせが用いられる。たとえば、ＯＦＤＭを基とするシステムにおいて、
【数４７】
2020518200.tif 000049
個のアップリンクビーム訓練信号は、
【数４８】
2020518200.tif 000050
個のＯＦＤＭシンボルを占め、各アップリンクビーム訓練信号は、１つのＯＦＤＭシンボルを占め、アップリンクビーム訓練信号の間は、ＴＤＭである。１つのＯＦＤＭシンボルで複数のビームのアップリンクビーム訓練信号を送信してもよく、それらの間は、ＦＤＭまたはＣＤＭである。
【０１４６】
各端末送信トラフィックビーム（ＵＥ  ＴＸ  Ｔｒａｆｆｉｃ  Ｂｅａｍ）のアップリンクビーム訓練信号は、当該ビームに対応するビームフォーミング重み値でフォーミングされてから送信される。
【０１４７】
ビーム訓練信号は、周期的に送信され、または、非周期的に送信される。
【０１４８】
基地局は、端末から送信されるアップリンクビーム訓練信号を受信し、アップリンクビーム訓練信号を測定することによって、１つまたは
【数４９】
2020518200.tif 000051
個の端末送信トラフィックビーム（ＵＥ  ＴＸ  Ｔｒａｆｆｉｃ  Ｂｅａｍ）の受信品質を特定し、端末送信トラフィックビーム（ＵＥ  ＴＸ  Ｔｒａｆｆｉｃ  Ｂｅａｍ）に対応する基地局受信トラフィックビーム（ＢＳ  ＲＸ  Ｔｒａｆｆｉｃ  Ｂｅａｍ）を特定する。アップリンク送信ビームの受信品質は、参照信号受信電力（ＲＳＲＰ）によって示されるが、ほかの測定量で示されてもよい。
【０１４９】
基地局は、端末からフィードバックされる最適な基地局送信トラフィックビーム（ＢＳ  ＴＸ  Ｔｒａｆｆｉｃ  Ｂｅａｍ）とは送受信相反性を有する基地局受信トラフィックビーム（ＢＳ  ＲＸ  Ｔｒａｆｆｉｃ  Ｂｅａｍ）を検索する。
【０１５０】
送受信相反性関係が存在するのであれば、１つのアップリンクビーム訓練信号に対し、基地局は、端末からフィードバックされる最適な基地局送信トラフィックビーム（Ｂｅｓｔ  ＢＳ  ＴＸ  Ｔｒａｆｆｉｃ  Ｂｅａｍ）とは送受信相反性を有する基地局受信トラフィックビーム（ＢＳ  ＲＸ  Ｔｒａｆｆｉｃ  Ｂｅａｍ）を、当該端末送信トラフィックビーム（ＵＥ  ＴＸ  Ｔｒａｆｆｉｃ  Ｂｅａｍ）に対応する受信ビームとする。
【０１５１】
送受信相反性関係が存在しないのであれば、１つの端末送信トラフィックビーム（ＵＥ  ＴＸ  Ｔｒａｆｆｉｃ  Ｂｅａｍ）に対し、基地局は、対応する基地局受信トラフィックビーム（ＢＳ  ＲＸ  Ｔｒａｆｆｉｃ  Ｂｅａｍ）を特定する。基地局の基地局受信トラフィックビーム（ＢＳ  ＲＸ  Ｔｒａｆｆｉｃ  Ｂｅａｍ）は、基地局受信トラフィックビーム（ＢＳ  ＲＸ  Ｔｒａｆｆｉｃ  Ｂｅａｍ）候補から選択される。基地局は、計
【数５０】
2020518200.tif 000052
個の基地局受信トラフィックビーム（ＢＳ  ＲＸ  Ｔｒａｆｆｉｃ  Ｂｅａｍ）を有し、各基地局受信トラフィックビーム（ＢＳ  ＲＸ  Ｔｒａｆｆｉｃ  Ｂｅａｍ）が１組のビームフォーミング重み値に対応し、第ｎ個の基地局受信トラフィックビーム（ＢＳ  ＲＸ  Ｔｒａｆｆｉｃ  Ｂｅａｍ）のビームフォーミング重み値は、
【数５１】
2020518200.tif 000053
である。ここでＫは、ビームフォーミングのアンテナユニット数であり、基地局のアンテナユニット数より小さい。たとえば、Ｋ個のアンテナユニットで受信された信号は、ビームフォーミング重み値によって重み付けられてから１つの送受信ユニットにまとめて送信される。基地局は、１つのアップリンクビーム訓練信号に対し、各基地局受信トラフィックビーム（ＢＳ  ＲＸ  Ｔｒａｆｆｉｃ  Ｂｅａｍ）で受信を試み、受信信号電力の最も強い基地局受信トラフィックビーム（ＢＳ  ＲＸ  Ｔｒａｆｆｉｃ  Ｂｅａｍ）を、当該端末送信トラフィックビーム（ＵＥ  ＴＸ  Ｔｒａｆｆｉｃ  Ｂｅａｍ）に対応する受信ビームとして選択する。
【０１５２】
基地局は、１つまたは
【数５２】
2020518200.tif 000054
個の端末送信トラフィックビーム（ＵＥ  ＴＸ  Ｔｒａｆｆｉｃ  Ｂｅａｍ）と１つまたは
【数５３】
2020518200.tif 000055
個の基地局受信トラフィックビーム（ＢＳ  ＲＸ  Ｔｒａｆｆｉｃ  Ｂｅａｍ）から最適なトラフィックビーム組み合わせを選択し、トラフィックビーム組み合わせのうち、最適な端末送信トラフィックビーム（Ｂｅｓｔ  ＵＥ  ＴＸ  Ｔｒａｆｆｉｃ  Ｂｅａｍ）のＩＤを当該端末に配信し、トラフィックビーム組み合わせのうち、最適な基地局受信トラフィックビーム（Ｂｅｓｔ  ＢＳ  ＲＸ  Ｔｒａｆｆｉｃ  Ｂｅａｍ）のＩＤを基地局のローカルに記憶する。
【０１５３】
本実施例において、基地局は、最適な基地局送信トラフィックビーム（Ｂｅｓｔ  ＢＳ  ＴＸ  Ｔｒａｆｆｉｃ  Ｂｅａｍ）でＰＤＳＣＨ信号を送信し、端末は、最適な端末受信トラフィックビーム（Ｂｅｓｔ  ＵＥ  ＲＸ  Ｔｒａｆｆｉｃ  Ｂｅａｍ）でＰＤＳＣＨ信号を受信する。端末は、最適な端末送信トラフィックビーム（Ｂｅｓｔ  ＵＥ  ＴＸ  Ｔｒａｆｆｉｃ  Ｂｅａｍ）でＰＵＳＣＨ信号を送信し、基地局は、最適な基地局受信トラフィックビーム（Ｂｅｓｔ  ＢＳ  ＲＸ  Ｔｒａｆｆｉｃ  Ｂｅａｍ）でＰＵＳＣＨ信号を受信する。
【０１５４】
本実施例において、最適な端末受信トラフィックビーム（Ｂｅｓｔ  ＵＥ  ＲＸ  Ｔｒａｆｆｉｃ  Ｂｅａｍ）、および／または、最適な基地局送信トラフィックビーム（Ｂｅｓｔ  ＢＳ  ＴＸ  Ｔｒａｆｆｉｃ  Ｂｅａｍ）、および／または、最適な端末送信トラフィックビーム（Ｂｅｓｔ  ＵＥ  ＴＸ  Ｔｒａｆｆｉｃ  Ｂｅａｍ）、および／または、最適な基地局受信トラフィックビーム（Ｂｅｓｔ  ＢＳ  ＲＸ  Ｔｒａｆｆｉｃ  Ｂｅａｍ）が失効すると、最適な端末受信共通ビーム（Ｂｅｓｔ  ＵＥ  ＲＸ  Ｃｏｍｍｏｎ  Ｂｅａｍ）、および／または、最適な基地局送信共通ビーム（Ｂｅｓｔ  ＢＳ  ＴＸ  Ｃｏｍｍｏｎ  Ｂｅａｍ）、および／または、最適な端末送信共通ビーム（Ｂｅｓｔ  ＵＥ  ＴＸ  Ｃｏｍｍｏｎ  Ｂｅａｍ）、および／または、最適な基地局受信共通ビーム（Ｂｅｓｔ  ＢＳ  ＲＸ  Ｃｏｍｍｏｎ  Ｂｅａｍ）で接続回復プロセスを行う。接続状態の失効状態で、共通ビームでトラフィック接続を回復することが実現される。
【０１５５】
同一の発明思想に基づき、本開示の実施例は、基地局をさらに提供する。当該基地局は、問題を解決する原理が本開示の実施例の図４におけるビーム制御方法に似るため、その実施例について、方法の実施を参照されたく、重複なところを繰り返して記載しない。
【０１５６】
図８は、基地局の構造が示されている。当該基地局８００は、物理チャネルの種類を特定する第１特定モジュール８０１と、前記物理チャネルの種類に基づいて対応種類のビームで前記物理チャネルの信号を送信または受信する第１制御モジュール８０２とを含む。
【０１５７】
一部の選択可能な実施例において、前記基地局は、基地局送信共通ビーム、基地局受信共通ビーム、基地局送信トラフィックビームおよび基地局受信トラフィックビームのうちの１つまたは複数種類のビームを構成する第１構成モジュールをさらに含む。
【０１５８】
一部の選択可能な実施例において、前記基地局は、基地局送信共通ビームと基地局受信共通ビームの送受信相反性関係を識別し、または、基地局送信トラフィックビームと基地局受信トラフィックビームの送受信相反性関係を識別する第１識別モジュールをさらに含む。
【０１５９】
一部の選択可能な実施例において、前記物理チャネルの信号を送信または受信する前記第１制御モジュールは、さらに、前記端末送信共通ビームに対応する基地局送信共通ビームで同期信号を端末に送信し、または、基地局受信共通ビームによって、端末から端末送信共通ビームで送信されるアップリンクランダムアクセス信号を受信する。
【０１６０】
一部の選択可能な実施例において、各基地局送信共通ビームの同期信号は、当該基地局送信共通ビームに対応するビームフォーミング重み値によってフォーミングされてから送信される。
【０１６１】
一部の選択可能な実施例において、前記同期信号は、一定の時間領域リソースと周波数領域リソースで周期的に送信される。
【０１６２】
一部の選択可能な実施例において、前記同期信号は、所定オフセットの時間領域リソースと周波数領域リソースで周期的に送信される。
【０１６３】
一部の選択可能な実施例において、同期信号は、オンデマンドで非周期的に送信される。
【０１６４】
一部の選択可能な実施例において、同期信号は、プリアンブルに基づいて周期的に送信される。
【０１６５】
一部の選択可能な実施例において、同期信号には、基地局送信共通ビームのＩＤを含む。
【０１６６】
一部の選択可能な実施例において、各端末送信共通ビームで送信されるアップリンクランダムアクセス信号は、当該端末送信共通ビームに対応するビームフォーミング重み値によってフォーミングされてから送信される。
【０１６７】
一部の選択可能な実施例において、前記アップリンクランダムアクセス信号には、端末送信共通ビームのＩＤを含む。
【０１６８】
一部の選択可能な実施例において、前記第１制御モジュールは、前記端末からフィードバックされる信号品質が最適な基地局送信共通ビームとは送受信相反性を有する基地局受信共通ビームを、当該端末送信共通ビームに対応する基地局受信共通ビームとして選択し、または、信号品質が最適な基地局受信共通ビームを、当該端末送信共通ビームに対応する基地局受信共通ビームとして選択する第１選択ユニットを含む。
【０１６９】
一部の選択可能な実施例において、前記第１制御モジュールは、さらに、端末送信共通ビームおよび前記端末送信共通ビームに対応する基地局受信共通ビームに基づいて、信号品質が最適な共通ビーム組み合わせを特定し、信号品質が最適な共通ビーム組み合わせのうち、信号品質が最適な端末送信共通ビームのＩＤを当該端末に配信し、共通ビーム組み合わせのうち、信号品質が最適な基地局受信共通ビームのＩＤを基地局のローカルに記憶する。
【０１７０】
一部の選択可能な実施例において、前記第１制御モジュールは、さらに、ＰＤＳＣＨ用のダウンリンクビーム訓練信号を、基地局送信トラフィックビームで端末に送信し、または、端末から端末送信トラフィックビームで送信されるＰＵＳＣＨ用のアップリンクビーム訓練信号を、前記端末送信トラフィックビームに対応する基地局受信トラフィックビームで受信する。
【０１７１】
一部の選択可能な実施例において、各基地局送信トラフィックビームで送信されるダウンリンクビーム訓練信号は、当該基地局送信トラフィックビームに対応するビームフォーミング重み値によってフォーミングされてから送信される。
【０１７２】
一部の選択可能な実施例において、前記ダウンリンクビーム訓練信号は、周期的に送信され、または、非周期的に送信される。
【０１７３】
一部の選択可能な実施例において、各端末送信トラフィックビームで送信されるアップリンクビーム訓練信号は、当該端末送信トラフィックビームに対応するビームフォーミング重み値によってフォーミングされてから送信される。
【０１７４】
一部の選択可能な実施例において、前記第１制御モジュールは、前記端末からフィードバックされる信号品質が最適な基地局送信トラフィックビームとは送受信相反性を有する基地局受信トラフィックビームを、当該端末送信トラフィックビームに対応する基地局受信トラフィックビームとして選択し、または、信号品質が最適な基地局受信トラフィックビームを、当該端末送信トラフィックビームに対応する基地局受信トラフィックビームとして選択する第２選択ユニットを含む。
【０１７５】
一部の選択可能な実施例において、前記第１制御モジュールは、さらに、端末送信トラフィックビームおよび前記端末送信トラフィックビームに対応する基地局受信トラフィックビームに基づいて、信号品質が最適なトラフィックビーム組み合わせを特定し、信号品質が最適なトラフィックビーム組み合わせのうち、信号品質が最適な端末送信トラフィックビームのＩＤを当該端末に配信し、信号品質が最適なトラフィックビーム組み合わせのうち、信号品質が最適な基地局受信トラフィックビームのＩＤを基地局のローカルに記憶する。
【０１７６】
一部の選択可能な実施例において、前記物理チャネルの信号を送信または受信する前記第１制御モジュールは、さらに、端末からフィードバックされる信号品質が最適な基地局送信トラフィックビームでＰＤＳＣＨ信号を送信し、または、信号品質が最適な基地局受信トラフィックビームでＰＵＳＣＨ信号を受信する。
【０１７７】
一部の選択可能な実施例において、前記基地局は、信号品質が最適な基地局送信トラフィックビームおよび／または信号品質が最適な基地局受信トラフィックビームが失効すると、端末からフィードバックされる信号品質が最適な基地局送信共通ビームで接続回復プロセスを行い、および／または、信号品質が最適な基地局受信共通ビームで接続回復プロセスを行う第１接続回復モジュールをさらに含む。
【０１７８】
同一の発明思想に基づき、本開示の実施例は、端末をさらに提供する。当該端末は、問題を解決する原理が本開示の実施例の図４におけるビーム制御方法に似るため、その実施例について、方法の実施を参照されたく、重複なところを繰り返して記載しない。
【０１７９】
図９は、端末の構造が示されている。当該端末９００は、物理チャネルの種類を特定する第２特定モジュール９０１と、前記物理チャネルの種類に基づいて対応種類のビームで物理チャネルの信号を送信または受信する第２制御モジュール９０２とを含む。
【０１８０】
一部の選択可能な実施例において、前記端末は、さらに、端末送信共通ビーム、端末受信共通ビーム、端末送信トラフィックビームおよび端末受信トラフィックビームのうちの１つまたは複数種類のビームを構成する。
【０１８１】
一部の選択可能な実施例において、前記端末は、端末受信共通ビームと端末送信共通ビームの送受信相反性関係を識別し、または、端末受信トラフィックビームと端末送信トラフィックビームの送受信相反性関係を識別する第２識別モジュールをさらに含む。
【０１８２】
一部の選択可能な実施例において、前記第２制御モジュールは、さらに、前記基地局送信共通ビームに対応する端末受信共通ビームによって、前記基地局から基地局送信共通ビームで送信される同期信号を受信し、または、端末送信共通ビームでアップリンクランダムアクセス信号を送信する。
【０１８３】
一部の選択可能な実施例において、前記第２制御モジュールは、さらに、基地局送信共通ビームおよび前記基地局送信共通ビームに対応する端末受信共通ビームに基づいて、信号品質が最適な共通ビーム組み合わせを特定し、信号品質が最適な共通ビーム組み合わせのうち、信号品質が最適な基地局送信共通ビームのＩＤを当該基地局にフィードバックし、共通ビーム組み合わせのうち、信号品質が最適な端末受信共通ビームのＩＤを端末のローカルに記憶する。
【０１８４】
一部の選択可能な実施例において、前記第２制御モジュールは、さらに、信号品質が最適な端末受信共通ビームとは送受信相反性を有する端末送信共通ビームでアップリンクランダムアクセス信号を送信し、または、端末送信共通ビーム候補毎に１つのアップリンクランダムアクセス信号を送信する。
【０１８５】
一部の選択可能な実施例において、前記第２制御モジュールは、さらに、基地局から基地局送信トラフィックビームで送信されるＰＤＳＣＨ用のダウンリンクビーム訓練信号を、前記基地局送信トラフィックビームに対応する端末受信トラフィックビームで受信し、または、ＰＵＳＣＨ用のアップリンクビーム訓練信号を端末送信トラフィックビームで送信する。
【０１８６】
一部の選択可能な実施例において、前記第２制御モジュールは、さらに、基地局送信トラフィックビームおよび前記基地局送信トラフィックビームに対応する端末受信トラフィックビームに基づいて、信号品質が最適なトラフィックビーム組み合わせを特定し、信号品質が最適なトラフィックビーム組み合わせのうち、信号品質が最適な基地局送信トラフィックビームのＩＤを当該基地局にフィードバックし、信号品質が最適なトラフィックビーム組み合わせのうち、信号品質が最適な端末受信トラフィックビームのＩＤを端末のローカルに記憶する。
【０１８７】
一部の選択可能な実施例において、前記第２制御モジュールは、さらに、ＰＵＳＣＨ用のアップリンクビーム訓練信号を、信号品質が最適な端末受信トラフィックビームとは送受信相反性を有する端末送信トラフィックビームで送信し、１つのＰＵＳＣＨ用のアップリンクビーム訓練信号を、端末送信トラフィックビーム毎に送信する。
【０１８８】
一部の選択可能な実施例において、前記第２制御モジュールは、さらに、信号品質が最適な端末受信トラフィックビームでＰＤＳＣＨ信号を受信し、または、基地局からフィードバックされる信号品質が最適な端末送信トラフィックビームでＰＵＳＣＨ信号を送信する。
【０１８９】
一部の選択可能な実施例において、前記端末は、信号品質が最適な端末受信トラフィックビームおよび／または信号品質が最適な端末送信トラフィックビームが失効すると、基地局からフィードバックされる信号品質が最適な端末送信共通ビームで接続回復プロセスを行い、および／または、信号品質が最適な端末受信共通ビームで接続回復プロセスを行う第２接続回復モジュールをさらに含む。
【０１９０】
本開示の実施例において、第１メモリ、第１プロセッサおよび第１メモリに記憶されて第１プロセッサで実行可能なコンピュータプログラムを含む基地局をさらに提供し、前記第１プロセッサが前記プログラムを実行すると、図４およびそれに対応する実施例に記載のビーム制御方法のステップが実現される。
【０１９１】
図１０には、基地局の構造が示されている。当該基地局は、第１メモリ１００４、第１プロセッサ１００１および第１メモリ１００４に記憶されて第１プロセッサ１００１で実行可能なコンピュータプログラムを含む。前記第１プロセッサ１００１が前記プログラムを実行すると、物理チャネルの種類を特定するステップと、前記物理チャネルの種類に基づいて対応種類のビームで前記物理チャネルの信号を送信または受信するステップとが実現される。
【０１９２】
図１０において、バスアーキテクチャ（第１バス１０００で示す）は、任意数の相互接続するバスとブリッジを含む。第１バス１０００は、汎用の第１プロセッサ１００１をはじめとする１つ又は複数のプロセッサと第１メモリ１００４をはじめとするメモリの各種類の回路が接続したものである。第１バス１０００は、周辺イクイップメント、レギュレーター、電力管理回路などの各種類のほかの回路を接続したものであってもよい。これらは、いずれも本分野の公知事項であり、本文においてさらなる記載をしない。第１バスインタフェース１００３により、第１バス１０００と第１トランシーバ１００２との間でインタフェースが提供される。第１トランシーバ１００２は、１つの部品であってもよく、複数の受信機および送信機など、複数の部品であってもよく、伝送媒体でほかの各種類の装置と通信するユニットとして提供される。たとえば、第１トランシーバ１００２は、ほかの機器から外部データを受信する。第１トランシーバ１００２は、第１プロセッサ１００１によって処理されたデータをほかの機器に送信する。
【０１９３】
第１プロセッサ１００１は、第１バス１０００と通常の処理を管理し、前述のように汎用のオペレーションシステムを実行する。第１メモリ１００４は、第１プロセッサ１００１による操作実行に用いられるデータを記憶することに用いられる。
【０１９４】
選択可能に、第１プロセッサ１００１は、ＣＰＵ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）またはＣＰＬＤ（Ｃｏｍｐｌｅｘ  Ｐｒｏｇｒａｍｍａｂｌｅ  Ｌｏｇｉｃ  Ｄｅｖｉｃｅ）である。
【０１９５】
本開示の実施例において、第２メモリ、第２プロセッサおよび第２メモリに記憶されて第２プロセッサで実行可能なコンピュータプログラムを含む端末をさらに提供し、前記第２プロセッサが前記プログラムを実行すると、図５およびそれに対応する実施例に記載のビーム制御方法のステップが実現される。
【０１９６】
図１１には、端末の構造が示されている。当該端末は、第２メモリ、第２プロセッサおよび第２メモリに記憶されて第２プロセッサで実行可能なコンピュータプログラムを含む。前記第２プロセッサが前記プログラムを実行すると、物理チャネルの種類を特定するステップと、前記物理チャネルの種類に基づいて対応種類のビームで前記物理チャネルの信号を送信または受信するステップとが実現される。
【０１９７】
図１１において、バスアーキテクチャ（第２バス１１００で示す）は、任意数の相互接続するバスとブリッジを含む。第２バス１１００は、汎用の第２プロセッサ１１０１をはじめとする１つ又は複数のプロセッサと第２メモリ１１０４をはじめとするメモリの各種類の回路が接続したものである。第２バス１１００は、周辺イクイップメント、レギュレーター、電力管理回路などの各種類のほかの回路を接続したものであってもよい。これらは、いずれも本分野の公知事項であり、本文においてさらなる記載をしない。第２バスインタフェース１１０３により、第２バス１１００と第２トランシーバ１１０２との間でインタフェースが提供される。第２トランシーバ１１０２は、１つの部品であってもよく、複数の受信機および送信機など、複数の部品であってもよく、伝送媒体でほかの各種類の装置と通信するユニットとして提供される。たとえば、第２トランシーバ１１０２は、ほかの機器から外部データを受信する。第２トランシーバ１１０２は、第２プロセッサ１１０１によって処理されたデータをほかの機器に送信する。計算システムの性質によっては、キーパッド、ディスプレイ、スピーカ、マイクロフォン、ジョイスティックなどのユーザインタフェース１１０５が提供される。
【０１９８】
第２プロセッサ１１０１は、第２バス１１００と通常の処理を管理し、前述のように汎用のオペレーションシステムを実行する。第２メモリ１１０４は、第２プロセッサ１１０１による操作実行に用いられるデータを記憶することに用いられる。
【０１９９】
選択可能に、第２プロセッサ１１０１は、ＣＰＵ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）またはＣＰＬＤ（Ｃｏｍｐｌｅｘ  Ｐｒｏｇｒａｍｍａｂｌｅ  Ｌｏｇｉｃ  Ｄｅｖｉｃｅ）である。
【０２００】
本開示の実施例は、コンピュータプログラムが記憶されているコンピュータ読み取り可能な記憶媒体をさらに提供し、当該プログラムがプロセッサによって実行されると、図４およびそれに対応する実施例に記載のビーム制御方法のステップ、または、図５およびそれに対応する実施例に記載のビーム制御方法のステップが実現される。
【０２０１】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【０２０２】
本開示の各実施例において、上記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【０２０３】
また、本文において、「システム」と「ネットワーク」は、常に互換して使用することができる。
【０２０４】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【０２０５】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定することもよい。
【０２０６】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０２０７】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０２０８】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２０９】
以上記載されたのは、本開示の選択可能な実施形態である。当業者は、本開示に記載されている原理を逸脱せずに様々な改良や修飾をすることもできる。これらの改良や修飾も、本開示の保護範囲内に含まれる。
【図１】
2020518200.tif 000056
【図２】
2020518200.tif 000057
【図３】
2020518200.tif 000058
【図４】
2020518200.tif 000059
【図５】
2020518200.tif 000060
【図６】
2020518200.tif 000061
【図７】
2020518200.tif 000062
【図８】
2020518200.tif 000063
【図９】
2020518200.tif 000064
【図１０】
2020518200.tif 000065
【図１１】
2020518200.tif 000066
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
基地局が物理チャネルの種類を特定することと、
前記基地局が前記物理チャネルの種類に基づいて対応種類のビームで前記物理チャネルの信号を送信または受信することとを含む、ビーム制御方法。
【請求項２】
基地局送信共通ビーム、基地局受信共通ビーム、基地局送信トラフィックビームおよび基地局受信トラフィックビームのうちの１つまたは複数種類のビームを、前記基地局が構成することと、
前記基地局が基地局送信共通ビームと基地局受信共通ビームの送受信相反性関係を識別すること、または、
前記基地局が基地局送信トラフィックビームと基地局受信トラフィックビームの送受信相反性関係を識別することをさらに含む、請求項１に記載の方法。
【請求項３】
前記基地局が前記物理チャネルの種類に基づいて対応種類のビームで前記物理チャネルの信号を送信または受信することは、
同期チャネルに対し、前記基地局が基地局送信共通ビームで同期信号を端末に送信すること、または、
アップリンクランダムアクセスチャネルに対し、前記基地局が、端末送信共通ビームに対応する基地局受信共通ビームによって、前記端末送信共通ビームで送信されるアップリンクランダムアクセス信号を受信することを含む、請求項２に記載の方法。
【請求項４】
各基地局送信共通ビームで送信される同期信号は、当該基地局送信共通ビームに対応するビームフォーミング重み値によってフォーミングされてから送信され、または、
前記同期信号は、プリアンブルに基づいて周期的に送信され、または、一定の時間領域リソースと周波数領域リソースで周期的に送信され、または、所定オフセットの時間領域リソースと周波数領域リソースで周期的に送信され、または、オンデマンドで非周期的に送信され、および／または、
前記同期信号には、基地局送信共通ビームのＩＤを含む、請求項３に記載の方法。
【請求項５】
各端末送信共通ビームで送信されるアップリンクランダムアクセス信号は、当該端末送信共通ビームに対応するビームフォーミング重み値によってフォーミングされてから送信され、および／または、
前記アップリンクランダムアクセス信号には、端末送信共通ビームのＩＤを含む、請求項３に記載の方法。
【請求項６】
前記端末送信共通ビームに対応する基地局受信共通ビームは、前記端末からフィードバックされる信号品質が最適な基地局送信共通ビームとは送受信相反性を有する基地局受信共通ビームであり、または、信号品質が最適な基地局受信共通ビームであり、または、
前記基地局が、端末送信共通ビームおよび前記端末送信共通ビームに対応する基地局受信共通ビームに基づいて、信号品質が最適な端末送信共通ビームと信号品質が最適な基地局受信共通ビームとを含む信号品質が最適な共通ビーム組み合わせを特定することと、
前記信号品質が最適な共通ビーム組み合わせのうち、信号品質が最適な端末送信共通ビームのＩＤを当該端末に配信し、前記信号品質が最適な共通ビーム組み合わせのうち、信号品質が最適な基地局受信共通ビームのＩＤを基地局のローカルに記憶することとをさらに含む、請求項３に記載の方法。
【請求項７】
前記基地局が前記物理チャネルの種類に基づいて対応種類のビームで前記物理チャネルの信号を送信または受信することは、
前記基地局が、ＰＤＳＣＨ（Ｐｈｙｓｉｃａｌ  Ｄｏｗｎｌｉｎｋ  Ｓｈａｒｅｄ  Ｃｈａｎｎｅｌ）用のダウンリンクビーム訓練信号を、基地局送信トラフィックビームで端末に送信すること、または、
前記基地局が、端末送信トラフィックビームで送信されるＰＵＳＣＨ（Ｐｈｙｓｉｃａｌ  Ｄｏｗｎｌｉｎｋ  Ｃｏｎｔｒｏｌ  Ｃｈａｎｎｅｌ）用のアップリンクビーム訓練信号を、前記端末送信トラフィックビームに対応する基地局受信トラフィックビームで受信することを含む、請求項２に記載の方法。
【請求項８】
各基地局送信トラフィックビームで送信されるダウンリンクビーム訓練信号は、当該基地局送信トラフィックビームに対応するビームフォーミング重み値によってフォーミングされてから送信され、および、
各端末送信トラフィックビームで送信されるアップリンクビーム訓練信号は、当該端末送信トラフィックビームに対応するビームフォーミング重み値によってフォーミングされてから送信され、または、
前記端末送信トラフィックビームに対応する基地局受信トラフィックビームは、前記端末からフィードバックされる信号品質が最適な基地局送信トラフィックビームとは送受信相反性を有する基地局受信トラフィックビームであり、または、信号品質が最適な基地局受信トラフィックビームであり、または、
前記基地局が、端末送信トラフィックビームおよび前記端末送信トラフィックビームに対応する基地局受信トラフィックビームに基づいて、信号品質が最適な端末送信トラフィックビームと信号品質が最適な基地局受信トラフィックビームとを含む信号品質が最適なトラフィックビーム組み合わせを特定することと、
前記信号品質が最適なトラフィックビーム組み合わせのうち、信号品質が最適な端末送信トラフィックビームのＩＤを当該端末に配信し、前記信号品質が最適なトラフィックビーム組み合わせのうち、信号品質が最適な基地局受信トラフィックビームのＩＤを基地局のローカルに記憶することとをさらに含む、請求項７に記載の方法。
【請求項９】
前記基地局が前記物理チャネルの種類に基づいて対応種類のビームで前記物理チャネルの信号を送信または受信することは、
前記基地局が、端末からフィードバックされる信号品質が最適な基地局送信トラフィックビームでＰＤＳＣＨ信号を送信すること、または、
前記基地局が、信号品質が最適な基地局受信トラフィックビームでＰＵＳＣＨ信号を受信することを含み、
信号品質が最適な基地局送信トラフィックビームおよび／または信号品質が最適な基地局受信トラフィックビームが失効すると、前記基地局が、端末からフィードバックされる信号品質が最適な基地局送信共通ビームで接続回復プロセスを行い、および／または、前記基地局が、信号品質が最適な基地局受信共通ビームで接続回復プロセスを行うことをさらに含む、請求項２に記載の方法。
【請求項１０】
端末が物理チャネルの種類を特定することと、
前記端末が前記物理チャネルの種類に基づいて対応種類のビームで物理チャネルの信号を送信または受信することとを含む、ビーム制御方法。
【請求項１１】
端末送信共通ビーム、端末受信共通ビーム、端末送信トラフィックビームおよび端末受信トラフィックビームのうちの１つまたは複数種類のビームを、前記端末が構成することをさらに含み、
前記端末が端末受信共通ビームと端末送信共通ビームの送受信相反性関係を識別すること、または、
前記端末が端末受信トラフィックビームと端末送信トラフィックビームの送受信相反性関係を識別することをさらに含む、請求項１０に記載の方法。
【請求項１２】
前記端末が前記物理チャネルの種類に基づいて対応種類のビームで物理チャネルの信号を送信または受信することは、
同期チャネルに対し、前記端末が、基地局送信共通ビームに対応する端末受信共通ビームによって、前記基地局送信共通ビームで送信される同期信号を受信すること、または、
アップリンクランダムアクセスチャネルに対し、前記端末が、端末送信共通ビームでアップリンクランダムアクセス信号を送信することを含む、請求項１１に記載の方法。
【請求項１３】
前記端末が、基地局送信共通ビームおよび前記基地局送信共通ビームに対応する端末受信共通ビームに基づいて、信号品質が最適な基地局送信共通ビームと信号品質が最適な端末受信共通ビームとを含む信号品質が最適な共通ビーム組み合わせを特定することと、
前記信号品質が最適な共通ビーム組み合わせのうち、信号品質が最適な基地局送信共通ビームのＩＤを当該基地局にフィードバックし、前記信号品質が最適な共通ビーム組み合わせのうち、信号品質が最適な端末受信共通ビームのＩＤを端末のローカルに記憶することとをさらに含み、または、
前記端末が端末送信共通ビームでアップリンクランダムアクセス信号を送信することは、
前記端末が、信号品質が最適な端末受信共通ビームとは送受信相反性を有する端末送信共通ビームでアップリンクランダムアクセス信号を送信すること、または、
前記端末が、端末送信共通ビーム候補毎に１つのアップリンクランダムアクセス信号を送信することを含む、請求項１２に記載の方法。
【請求項１４】
前記端末が前記物理チャネルの種類に基づいて対応種類のビームで物理チャネルの信号を送信または受信することは、
前記端末が、基地局から基地局送信トラフィックビームで送信されるＰＤＳＣＨ用のダウンリンクビーム訓練信号を、基地局送信トラフィックビームに対応する端末受信トラフィックビームで受信すること、または、
前記端末が、ＰＵＳＣＨ用のアップリンクビーム訓練信号を端末送信トラフィックビームで送信することを含み、および、
前記端末が、基地局送信トラフィックビームおよび前記基地局送信トラフィックビームに対応する端末受信トラフィックビームに基づいて、信号品質が最適な基地局送信トラフィックビームと信号品質が最適な端末受信トラフィックビームとを含む信号品質が最適なトラフィックビーム組み合わせを特定することと、
前記信号品質が最適なトラフィックビーム組み合わせのうち、信号品質が最適な基地局送信トラフィックビームのＩＤを当該基地局にフィードバックし、前記信号品質が最適なトラフィックビーム組み合わせのうち、信号品質が最適な端末受信トラフィックビームのＩＤを端末のローカルに記憶することとをさらに含み、または、
前記端末が、ＰＵＳＣＨ用のアップリンクビーム訓練信号を端末送信トラフィックビームで送信することは、
前記端末が、ＰＵＳＣＨ用のアップリンクビーム訓練信号を、信号品質が最適な端末受信トラフィックビームとは送受信相反性を有する端末送信トラフィックビームで送信すること、または、
前記端末が、１つのＰＵＳＣＨ用のアップリンクビーム訓練信号を、端末送信トラフィックビーム毎に送信することを含む、請求項１１に記載の方法。
【請求項１５】
前記端末が前記物理チャネルの種類に基づいて対応種類のビームで物理チャネルの信号を送信または受信することは、
前記端末が、信号品質が最適な端末受信トラフィックビームでＰＤＳＣＨ信号を受信すること、または、
前記端末が、基地局からフィードバックされる信号品質が最適な端末送信トラフィックビームでＰＵＳＣＨ信号を送信することを含み、および、
信号品質が最適な端末受信トラフィックビームおよび／または信号品質が最適な端末送信トラフィックビームが失効すると、前記端末が、基地局からフィードバックされる信号品質が最適な端末送信共通ビームで接続回復プロセスを行い、および／または、前記端末が、信号品質が最適な端末受信共通ビームで接続回復プロセスを行うことをさらに含む、請求項１１に記載の方法。
【請求項１６】
物理チャネルの種類を特定する第１特定モジュールと、
前記物理チャネルの種類に基づいて対応種類のビームで前記物理チャネルの信号を送信または受信する第１制御モジュールとを含む、基地局。
【請求項１７】
物理チャネルの種類を特定する第２特定モジュールと、
前記物理チャネルの種類に基づいて対応種類のビームで物理チャネルの信号を送信または受信する第２制御モジュールとを含む、端末。
【国際調査報告】
2020518200.tif 000067
2020518200.tif 000068
2020518200.tif 000069
2020518200.tif 000070